(57)【要約】  本発明の実施形態は、ワイヤレス通信技術の分野に関し、ワイヤレスネットワークの情報伝送効率を改善するために、セル内の情報伝送方法および情報伝送装置を開示する。本発明の方法は、ネットワークデバイスにより、端末情報を取得することであって、端末情報が端末の移動速度および／またはセル内の端末の位置を含む、ことと、ネットワークデバイスにより、端末情報に従って端末の状態を特定することであって、端末の状態が第1の状態または第2の状態を含む、ことと、端末が第1の状態にあるとき、端末により、セルの競合リソース上で通信を実施し、端末が第2の状態にあるとき、ネットワークデバイスにより、セルの競合がないリソースを端末に割り振ることとを含む。本発明はワイヤレスネットワークに適用可能である。
2018501750.tif 000002
【特許請求の範囲】
【請求項１】
セル内の情報伝送方法であって、前記方法がワイヤレスネットワークに適用され、前記ワイヤレスネットワークが、少なくともネットワークデバイスおよび端末を備え、前記端末が前記ネットワークデバイスのセル内に位置し、前記方法が、
前記ネットワークデバイスにより、端末情報を取得するステップであって、前記端末情報が前記端末の移動速度および／または前記セル内の前記端末の位置を含む、ステップと、
前記ネットワークデバイスにより、前記端末情報に従って前記端末の状態を特定するステップであって、前記端末の前記状態が第1の状態または第2の状態を含む、ステップと、
前記端末が前記第1の状態にあるとき、前記端末により、前記セルの競合リソース上で通信を実施し、前記端末が前記第2の状態にあるとき、前記ネットワークデバイスにより、前記セルの競合がないリソースを前記端末に割り振るステップと
を含む、方法。
【請求項２】
前記ネットワークデバイスにより、前記端末情報に従って前記端末の状態を特定する前記ステップが、
前記ネットワークデバイスにより、前記端末の前記移動速度が速度しきい値よりも大きいかどうかを検出し、前記端末の前記移動速度が前記速度しきい値よりも大きい場合、前記端末が前記第1の状態に入ると判断するステップと、
前記端末の前記移動速度が前記速度しきい値よりも小さいかまたは等しい場合、前記端末が前記第2の状態に入ると判断するステップと
を含む、請求項1に記載の方法。
【請求項３】
前記ネットワークデバイスにより、前記端末情報に従って前記端末の状態を特定する前記ステップが、
前記ネットワークデバイスにより、前記セル内の前記端末の前記位置に従って、前記端末が前記セル内の指定領域内に位置するかどうかを判定するステップと、
前記端末が前記指定領域内に位置する場合、前記端末が前記第1の状態に入ると判断し、前記端末が前記指定領域内に位置しない場合、前記端末が前記第2の状態に入ると判断するステップと
を含む、請求項1に記載の方法。
【請求項４】
前記端末情報が前記端末の移動方向をさらに含み、
前記ネットワークデバイスにより、前記端末情報に従って前記端末の状態を特定する前記ステップが、
前記端末が前記指定領域内に位置すると判定されると、前記ネットワークデバイスにより、前記移動方向に従って、前記端末が前記セルの中心から遠ざかるかどうかを判定するステップと、
前記端末が前記セルの前記中心から遠ざかる場合、前記端末が前記第1の状態に入ると判断し、前記端末が前記セルの前記中心から遠ざからない場合、前記端末が前記第2の状態に入ると判断するステップと
を含む、請求項3に記載の方法。
【請求項５】
セル内の情報伝送方法であって、前記方法がワイヤレスネットワークに適用され、前記ワイヤレスネットワークが、少なくともネットワークデバイスおよび端末を備え、前記端末が前記ネットワークデバイスのセル内に位置し、前記方法が、
前記端末により、前記ネットワークデバイスによって送信された信号を受信するステップであって、前記ネットワークデバイスによって送信された前記信号が少なくともしきい値情報を含む、ステップと、
前記端末により、端末情報を取得するステップであって、前記端末情報が少なくとも前記端末の移動速度を含み、かつ／または前記端末情報が前記端末のアップリンクデータの伝送状態を表すために使用される、ステップと、
前記端末により、前記端末情報および前記ネットワークデバイスによって送信された前記信号に従って前記端末の状態を特定するステップであって、前記端末の前記状態が第1の状態または第2の状態を含む、ステップと、
前記端末が前記第1の状態にあるとき、前記端末により、前記セルの競合リソース上で通信を実施し、前記端末が前記第2の状態にあるとき、前記端末により、前記ネットワークデバイスに前記セルの競合がないリソースを要求するステップと
を含む、方法。
【請求項６】
前記しきい値情報が速度しきい値を表すために使用され、
前記端末により、前記端末情報および前記ネットワークデバイスによって送信された前記信号に従って前記端末の状態を特定する前記ステップが、
前記端末により、前記移動速度が前記速度しきい値よりも大きいかどうかを検出し、前記移動速度が前記速度しきい値よりも大きい場合、前記端末が前記第1の状態に入ると判断するステップと、
前記端末の前記移動速度が前記速度しきい値よりも小さいかまたは等しい場合、前記端末が前記第2の状態に入ると判断するステップと
を含む、請求項5に記載の方法。
【請求項７】
前記端末により、端末情報を取得する前記ステップが、
前記端末により、物理層の測定を実施し、物理層のパラメータを取得するステップであって、前記物理層のパラメータが、少なくとも基準信号受信品質（RSRQ）および／または基準信号受信電力（RSRP）を含む、ステップ
を含み、
前記端末により、前記端末情報および前記ネットワークデバイスによって送信された前記信号に従って前記端末の状態を特定する前記ステップが、
前記端末により、前記物理層のパラメータを物理層のパラメータしきい値と比較し、前記端末がアップリンク制限されるかどうかを判定するステップであって、前記しきい値情報が前記物理層のパラメータしきい値を表すためにさらに使用される、ステップと、
前記端末がアップリンク制限される場合、前記端末が前記第1の状態に入ると判断し、前記端末がアップリンク制限されない場合、前記端末が前記第2の状態に入ると判断するステップと
を含む、請求項5に記載の方法。
【請求項８】
前記端末により、前記ネットワークデバイスによって送信された信号を受信する前記ステップが、
前記端末により、前記ネットワークデバイスによってブロードキャストされた端末情報を受信するステップ、または
前記端末により、前記端末情報を含む、前記ネットワークデバイスによって送信された制御シグナリングを受信するステップ
を含む、請求項5から7のいずれか一項に記載の方法。
【請求項９】
セル内の情報伝送装置であって、前記装置がワイヤレスネットワークに適用され、前記ワイヤレスネットワークが、少なくともネットワークデバイスおよび端末を備え、前記端末が前記ネットワークデバイスのセル内に位置し、前記装置が、
端末情報を取得するように構成された取得モジュールであって、前記端末情報が前記端末の移動速度および／または前記セル内の前記端末の位置を含む、取得モジュールと、
前記取得モジュールによって取得された前記端末情報に従って前記端末の状態を特定するように構成された特定モジュールであって、前記端末の前記状態が第1の状態または第2の状態を含む、特定モジュールと
を備え、
前記端末が前記第1の状態にあるとき、前記端末が前記セルの競合リソース上で通信を実施し、前記端末が前記第2の状態にあるとき、前記ネットワークデバイスが前記セルの競合がないリソースを前記端末に割り振る、装置。
【請求項１０】
前記特定モジュールが、
前記取得モジュールによって取得された前記端末の前記移動速度が速度しきい値よりも大きいかどうかを検出し、前記端末の前記移動速度が前記速度しきい値よりも大きい場合、前記端末が前記第1の状態に入ると判断することと、
前記端末の前記移動速度が前記速度しきい値よりも小さいかまたは等しい場合、前記端末が前記第2の状態に入ると判断することと
を行うようにさらに構成される、請求項9に記載の装置。
【請求項１１】
前記特定モジュールが、
前記取得モジュールによって取得された前記セル内の前記端末の前記位置に従って、前記端末が前記セル内の指定領域内に位置するかどうかを判定することと、
前記端末が前記指定領域内に位置する場合、前記端末が前記第1の状態に入ると判断し、前記端末が前記指定領域内に位置しない場合、前記端末が前記第2の状態に入ると判断することと
を行うようにさらに構成される、請求項9に記載の装置。
【請求項１２】
前記端末情報が前記端末の移動方向をさらに含み、
前記特定モジュールが、
前記端末が前記指定領域内に位置すると判定されると、前記取得モジュールによって取得された前記移動方向に従って、前記端末が前記セルの中心から遠ざかるかどうかを判定することと、
前記端末が前記セルの前記中心から遠ざかる場合、前記端末が前記第1の状態に入ると判断し、前記端末が前記セルの前記中心から遠ざからない場合、前記端末が前記第2の状態に入ると判断することと
を行うようにさらに構成される、請求項11に記載の装置。
【請求項１３】
セル内の情報伝送装置であって、前記装置がワイヤレスネットワークに適用され、前記ワイヤレスネットワークが、少なくともネットワークデバイスおよび端末を備え、前記端末が前記ネットワークデバイスのセル内に位置し、前記装置が、
前記ネットワークデバイスによって送信された信号を受信するように構成された受信モジュールであって、前記ネットワークデバイスによって送信された前記信号が少なくともしきい値情報を含む、受信モジュールと、
端末情報を取得するように構成された取得モジュールであって、前記端末情報が少なくとも前記端末の移動速度を含み、かつ／または前記端末情報が前記端末のアップリンクデータの伝送状態を表すために使用される、取得モジュールと、
前記取得モジュールによって取得された前記端末情報および前記ネットワークデバイスによって送信された前記信号に従って前記端末の状態を特定するように構成された特定モジュールであって、前記端末の前記状態が第1の状態または第2の状態を含む、特定モジュールと
を備え、
前記端末が前記第1の状態にあるとき、前記端末が前記セルの競合リソース上で通信を実施し、前記端末が前記第2の状態にあるとき、前記端末が前記ネットワークデバイスに前記セルの競合がないリソースを要求する、装置。
【請求項１４】
前記しきい値情報が速度しきい値を表すために使用され、
前記特定モジュールが、
前記取得モジュールによって取得された前記移動速度が前記速度しきい値よりも大きいかどうかを検出し、前記移動速度が前記速度しきい値よりも大きい場合、前記端末が前記第1の状態に入ると判断することと、
前記端末の前記移動速度が前記速度しきい値よりも小さいかまたは等しい場合、前記端末が前記第2の状態に入ると判断することと
を行うようにさらに構成される、請求項13に記載の装置。
【請求項１５】
前記取得モジュールが、
物理層の測定を実施し、物理層のパラメータを取得することであって、前記物理層のパラメータが、少なくとも基準信号受信品質（RSRQ）および／または基準信号受信電力（RSRP）を含む、こと
を行うようにさらに構成され、
前記特定モジュールが、
前記取得モジュールによって取得された前記物理層のパラメータを物理層のパラメータしきい値と比較し、前記端末がアップリンク制限されるかどうかを判定することであって、前記しきい値情報が前記物理層のパラメータしきい値を表すためにさらに使用される、ことと、
前記端末がアップリンク制限される場合、前記端末が前記第1の状態に入ると判断し、前記端末がアップリンク制限されない場合、前記端末が前記第2の状態に入ると判断することと
を行うようにさらに構成される、請求項13に記載の装置。
【請求項１６】
前記受信モジュールが、
前記ネットワークデバイスによってブロードキャストされた端末情報を受信すること、または
前記端末情報を含む、前記ネットワークデバイスによって送信された制御シグナリングを受信すること
を行うようにさらに構成される、請求項13から15のいずれか一項に記載の装置。
【発明の詳細な説明】
【技術分野】
【０００１】
関連出願の相互参照
本出願は、2014年12月22日に中国特許庁に出願された「INFORMATION TRANSMISSION METHOD AND APPARATUS IN CELL」と題する中国特許出願第201410803232.0号の優先権を主張するものであり、引用により上記中国特許出願の全体が本明細書に組み込まれる。
【０００２】
本発明は、ワイヤレス通信技術の分野に関し、詳細には、セル内の情報伝送方法および情報伝送装置に関する。
【背景技術】
【０００３】
現在、通信を実施する前に、ワイヤレスネットワーク内の端末は、端末が現在位置しているセルに最初にアクセスする必要があり、そのセルにネットワークリソースを割り振るように要求する。端末は、一般に、シグナリング交換方式で、基地局からネットワークリソースを取得するように要求し、その結果、端末は、取得されたネットワークリソース上で通信を実施する。端末と基地局との間で交換され、ネットワークリソースを要求するために使用されるシグナリングは、ワイヤレスネットワークの帯域幅を占有する。端末が1つのセルから別のセルに移動するとき、セルハンドオーバを完了し、別のセルのリソースを取得するために、一連のシグナリング交換手順は、端末と基地局との間、およびソース基地局とターゲット基地局との間で実行される必要がある。しかしながら、シグナリング交換手順はかなり複雑である。
【発明の概要】
【課題を解決するための手段】
【０００４】
端末が車載端末デバイスであるか、または端末を保持するユーザが車内にいるとき、通常、セル内の端末の移動速度は速く、結果として端末は複数のセルの間を頻繁に往復するので、端末は、セルハンドオーバに使用される前述のシグナリング交換手順を頻繁に実行して、端末が通信を実施するときに使用されるネットワークリソースを調整する必要がある。結果として、大量のネットワーク帯域幅が占有され、ワイヤレスネットワークの情報伝送効率は低下する。
【０００５】
本発明の実施形態は、ワイヤレスネットワークの情報伝送効率を改善するために、セル内の情報伝送方法および情報伝送装置を提供する。
【０００６】
前述の目的を達成するために、本発明の実施形態において以下の技術的解決策が使用される。
【０００７】
第1の態様によれば、本発明の実施形態は、セル内の情報伝送方法を提供し、方法はワイヤレスネットワークに適用され、ワイヤレスネットワークは、少なくともネットワークデバイスおよび端末を含み、端末はネットワークデバイスのセル内に位置し、方法は、
ネットワークデバイスにより、端末情報を取得することであって、端末情報が端末の移動速度および／またはセル内の端末の位置を含む、ことと、
ネットワークデバイスにより、端末情報に従って端末の状態を特定することであって、端末の状態が第1の状態または第2の状態を含む、ことと、
端末が第1の状態にあるとき、端末により、セルの競合リソース上で通信を実施し、端末が第2の状態にあるとき、ネットワークデバイスにより、セルの競合がないリソースを端末に割り振ることと
を含む。
【０００８】
第1の態様を参照して、第1の態様の第1の可能な実装方式では、ネットワークデバイスにより、端末情報に従って端末の状態を特定することは、
ネットワークデバイスにより、端末の移動速度が速度しきい値よりも大きいかどうかを検出し、端末の移動速度が速度しきい値よりも大きい場合、端末が第1の状態に入ると判断することと、
端末の移動速度が速度しきい値よりも小さいかまたは等しい場合、端末が第2の状態に入ると判断することと
を含む。
【０００９】
第1の態様を参照して、第1の態様の第2の可能な実装方式では、ネットワークデバイスにより、端末情報に従って端末の状態を特定することは、
ネットワークデバイスにより、セル内の端末の位置に従って、端末がセル内の指定領域内に位置するかどうかを判定することと、
端末が指定領域内に位置する場合、端末が第1の状態に入ると判断し、端末が指定領域内に位置しない場合、端末が第2の状態に入ると判断することと
を含む。
【００１０】
第1の態様の第2の可能な実装方式を参照して、第1の態様の第3の可能な実装方式では、端末情報は端末の移動方向をさらに含み、
ネットワークデバイスにより、端末情報に従って端末の状態を特定することは、
端末が指定領域内に位置すると判定されると、ネットワークデバイスにより、移動方向に従って、端末がセルの中心から遠ざかるかどうかを判定することと、
端末がセルの中心から遠ざかる場合、端末が第1の状態に入ると判断し、端末がセルの中心から遠ざからない場合、端末が第2の状態に入ると判断することと
を含む。
【００１１】
第2の態様によれば、本発明の実施形態は、セル内の情報伝送方法を提供し、方法はワイヤレスネットワークに適用され、ワイヤレスネットワークは、少なくともネットワークデバイスおよび端末を含み、端末はネットワークデバイスのセル内に位置し、方法は、
端末により、ネットワークデバイスによって送信された信号を受信することであって、ネットワークデバイスによって送信された信号が少なくともしきい値情報を含む、ことと、
端末により、端末情報を取得することであって、端末情報が少なくとも端末の移動速度を含み、かつ／または端末情報が端末のアップリンクデータの伝送状態を表すために使用される、ことと、
端末により、端末情報およびネットワークデバイスによって送信された信号に従って端末の状態を特定することであって、端末の状態が第1の状態または第2の状態を含む、ことと、
端末が第1の状態にあるとき、端末により、セルの競合リソース上で通信を実施し、端末が第2の状態にあるとき、端末により、ネットワークデバイスにセルの競合がないリソースを要求することと
を含む。
【００１２】
第2の態様を参照して、第2の態様の第1の可能な実装方式では、しきい値情報は速度しきい値を表すために使用され、端末により、端末情報およびネットワークデバイスによって送信された信号に従って端末の状態を特定することは、
端末により、移動速度が速度しきい値よりも大きいかどうかを検出し、移動速度が速度しきい値よりも大きい場合、端末が第1の状態に入ると判断することと、
端末の移動速度が速度しきい値よりも小さいかまたは等しい場合、端末が第2の状態に入ると判断することと
を含む。
【００１３】
第2の態様を参照して、第2の態様の第2の可能な実装方式では、端末により、端末情報を取得することは、端末により、物理層の測定を実施し、物理層のパラメータを取得することであって、物理層のパラメータは、少なくとも基準信号受信品質（RSRQ）および／または基準信号受信電力（RSRP）を含む、こと
を含み、
端末により、端末情報およびネットワークデバイスによって送信された信号に従って端末の状態を特定することは、端末により、物理層のパラメータを物理層のパラメータしきい値と比較し、端末がアップリンク制限されるかどうかを判定することであって、しきい値情報が物理層のパラメータしきい値を表すためにさらに使用される、ことと、
端末がアップリンク制限される場合、端末が第1の状態に入ると判断し、端末がアップリンク制限されない場合、端末が第2の状態に入ると判断することと
を含む。
【００１４】
第2の態様、または第2の態様の第1から第2の可能な実装方式のうちの任意の1つを参照して、第2の態様の第3の可能な実装方式では、端末により、ネットワークデバイスによって送信された信号を受信することは、
端末により、ネットワークデバイスによってブロードキャストされた端末情報を受信すること、または
端末により、端末情報を含む、ネットワークデバイスによって送信された制御シグナリングを受信すること
を含む。
【００１５】
第3の態様によれば、本発明の実施形態は、セル内の情報伝送装置を提供し、装置はワイヤレスネットワークに適用され、ワイヤレスネットワークは、少なくともネットワークデバイスおよび端末を含み、端末はネットワークデバイスのセル内に位置し、装置は、
端末情報を取得するように構成された取得モジュールであって、端末情報が端末の移動速度および／またはセル内の端末の位置を含む、取得モジュールと、
取得モジュールによって取得された端末情報に従って端末の状態を特定するように構成された特定モジュールであって、端末の状態が第1の状態または第2の状態を含む、特定モジュールと
を含み、
端末が第1の状態にあるとき、端末はセルの競合リソース上で通信を実施し、端末が第2の状態にあるとき、ネットワークデバイスはセルの競合がないリソースを端末に割り振る。
【００１６】
第3の態様を参照して、第3の態様の第1の可能な実装方式では、特定モジュールは、具体的に、
取得モジュールによって取得された端末の移動速度が速度しきい値よりも大きいかどうかを検出し、端末の移動速度が速度しきい値よりも大きい場合、端末が第1の状態に入ると判断することと、
端末の移動速度が速度しきい値よりも小さいかまたは等しい場合、端末が第2の状態に入ると判断することと
を行うように構成される。
【００１７】
第3の態様を参照して、第3の態様の第2の可能な実装方式では、特定モジュールは、具体的に、
取得モジュールによって取得されたセル内の端末の位置に従って、端末がセル内の指定領域内に位置するかどうかを判定することと、
端末が指定領域内に位置する場合、端末が第1の状態に入ると判断し、端末が指定領域内に位置しない場合、端末が第2の状態に入ると判断することと
を行うようにさらに構成される。
【００１８】
第3の態様の第2の可能な実装方式を参照して、第3の態様の第3の可能な実装方式では、端末情報は端末の移動方向をさらに含み、
特定モジュールは、具体的に、
端末が指定領域内に位置すると判定されると、取得モジュールによって取得された移動方向に従って、端末がセルの中心から遠ざかるかどうかを判定することと、
端末がセルの中心から遠ざかる場合、端末が第1の状態に入ると判断し、端末がセルの中心から遠ざからない場合、端末が第2の状態に入ると判断することと
を行うようにさらに構成される。
【００１９】
第4の態様によれば、本発明の実施形態は、セル内の情報伝送装置を提供し、装置はワイヤレスネットワークに適用され、ワイヤレスネットワークは、少なくともネットワークデバイスおよび端末を含み、端末はネットワークデバイスのセル内に位置し、装置は、
ネットワークデバイスによって送信された信号を受信するように構成された受信モジュールであって、ネットワークデバイスによって送信された信号が少なくともしきい値情報を含む、受信モジュールと、
端末情報を取得するように構成された取得モジュールであって、端末情報が少なくとも端末の移動速度を含み、かつ／または端末情報が端末のアップリンクデータの伝送状態を表すために使用される、取得モジュールと、
取得モジュールによって取得された端末情報およびネットワークデバイスによって送信された信号に従って端末の状態を特定するように構成された特定モジュールであって、端末の状態が第1の状態または第2の状態を含む、特定モジュールと
を含み、
端末が第1の状態にあるとき、端末はセルの競合リソース上で通信を実施し、端末が第2の状態にあるとき、端末はネットワークデバイスにセルの競合がないリソースを要求する。
【００２０】
第4の態様を参照して、第4の態様の第1の可能な実装方式では、しきい値情報は速度しきい値を表すために使用され、特定モジュールは、具体的に、
取得モジュールによって取得された移動速度が速度しきい値よりも大きいかどうかを検出し、移動速度が速度しきい値よりも大きい場合、端末が第1の状態に入ると判断することと、
端末の移動速度が速度しきい値よりも小さいかまたは等しい場合、端末が第2の状態に入ると判断することと
を行うように構成される。
【００２１】
第4の態様を参照して、第4の態様の第2の可能な実装方式では、取得モジュールは、具体的に、
物理層の測定を実施し、物理層のパラメータを取得することであって、物理層のパラメータは、少なくとも基準信号受信品質（RSRQ）および／または基準信号受信電力（RSRP）を含む、こと
を行うように構成され、
特定モジュールは、具体的に、
取得モジュールによって取得された物理層のパラメータを物理層のパラメータしきい値と比較し、端末がアップリンク制限されるかどうかを判定することであって、しきい値情報が物理層のパラメータしきい値を表すためにさらに使用される、ことと、
端末がアップリンク制限される場合、端末が第1の状態に入ると判断し、端末がアップリンク制限されない場合、端末が第2の状態に入ると判断することと
を行うようにさらに構成される。
【００２２】
第4の態様、または第4の態様の第1から第2の可能な実装方式のうちの任意の1つを参照して、第4の態様の第3の可能な実装方式では、受信モジュールは、具体的に、
ネットワークデバイスによってブロードキャストされた端末情報を受信すること、または
端末情報を含む、ネットワークデバイスによって送信された制御シグナリングを受信すること
を行うように構成される。
【００２３】
本発明の実施形態において提供されるセル内の情報伝送方法および情報伝送装置によれば、ネットワークデバイスは、セル内の取得された端末情報に従って端末の状態を特定し、または端末は、ネットワークデバイスによって送信された、受信された信号、および取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術における解決策と比較して、本発明では、ネットワークデバイスは、取得された端末情報に従って端末の状態を特定することができ、または端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスまたは端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【００２４】
本発明の実施形態における技術的解決策をより明確に記載するために、以下で、実施形態を記載するために必要とされる添付図面を簡単に記載する。当然ながら、以下の説明における添付図面は本発明のいくつかの実施形態を示すにすぎず、当業者は、創造的な努力なしに、これらの添付図面から他の図面をさらに導出することができる。
【図面の簡単な説明】
【００２５】
【図１】本発明の実施形態による、セル内の情報伝送方法のフローチャートである。
【図１ａ】本発明の実施形態による、セル内の別の情報伝送方法のフローチャートである。
【図２】本発明の実施形態による、具体的な応用シナリオの概略図である。
【図３】従来技術の具体的な応用シナリオにおける情報交換のフローチャートである。
【図４】本発明の実施形態による、セル内の別の情報伝送方法のフローチャートである。
【図４ａ】本発明の実施形態による、別の具体的な応用シナリオの概略図である。
【図５】本発明の実施形態による、セル内の別の情報伝送方法のフローチャートである。
【図５ａ】本発明の実施形態による、別の具体的な応用シナリオの概略図である。
【図５ｂ】本発明の実施形態による、別の具体的な応用シナリオの概略図である。
【図６】本発明の実施形態による、セル内の別の情報伝送方法のフローチャートである。
【図６ａ】本発明の実施形態による、別の具体的な応用シナリオの概略図である。
【図７】本発明の実施形態による、セル内の別の情報伝送方法のフローチャートである。
【図７ａ】本発明の実施形態による、セル内の別の情報伝送方法のフローチャートである。
【図８】本発明の実施形態による、セル内の別の情報伝送方法のフローチャートである。
【図９】本発明の実施形態による、セル内の別の情報伝送方法のフローチャートである。
【図１０】本発明の実施形態による、セル内の情報伝送装置の概略構造図である。
【図１１】本発明の実施形態による、セル内の別の情報伝送装置の概略構造図である。
【図１２】本発明の実施形態による、ネットワークデバイスの概略構造図である。
【図１３】本発明の実施形態による、端末の概略構造図である。
【図１４】本発明の実施形態による、別のネットワークデバイスの概略構造図である。
【図１５】本発明の実施形態による、別の端末の概略構造図である。
【発明を実施するための形態】
【００２６】
以下で、本発明の実施形態における添付図面を参照して、本発明の実施形態における技術的解決策を明確かつ完全に記載する。当然ながら、記載される実施形態は、本発明の実施形態のうちのいくつかにすぎず、すべてではない。創造的な努力なしに、本発明の実施形態に基づいて当業者によって取得されるすべての他の実施形態は、本発明の保護範囲内に入るべきである。
【００２７】
本発明の実施形態において使用される用語は、具体的な実施形態を説明する目的のためにすぎず、本発明を限定するものではない。本発明の実施形態および添付の特許請求の範囲において使用される単数形の「a」、「said」、および「the」という用語は、明確に文脈内で特に指定がない限り、複数形も含むものである。本明細書において使用される「および／または」という用語は、1つまたは複数の関連する列記された項目のいくつかまたはすべての考えられる組合せを示し、含む。
【００２８】
本発明の実施形態はワイヤレスネットワークに適用される場合があり、ワイヤレスネットワークは、少なくともネットワークデバイスおよび端末を含み、端末はネットワークデバイスのセル内に位置し、ネットワークデバイスは、具体的には基地局であり得るし、端末デバイスは、具体的にはPAD、スマートフォン、車載端末などであり得る。
【００２９】
本発明の実施形態はセル内の情報伝送方法を提供する。図1または図1aに示されたように、方法は以下のステップを含む。
【００３０】
101．ネットワークデバイスが端末情報を取得する。
【００３１】
端末情報は、端末の移動速度および／またはセル内の端末の位置を含む、
【００３２】
一例として車載端末デバイスを使用すると、基地局は、アップリンク基準信号に従って車載端末デバイスの移動速度を推定することができ、または車載端末デバイスは、ダウンリンク基準信号に従って移動速度を推定し、シグナリングを使用して基地局に移動速度を送信し、その結果、基地局は車載端末デバイスの移動速度を取得する。端末情報は、端末の位置および移動方向などのパラメータ、または端末が短時間内に1つのセルから別のセルに移動するかどうかを判定するために使用され得る他のパラメータをさらに含む場合があることに留意されたい。端末が短時間内で1つのセルから別のセルに移動しないとき、それは、端末が短時間の間1つのセルに留まり、セルハンドオーバが容易に発生しないことを示す。したがって、ネットワークデバイスは、競合がないリソースを端末に割り振ることができ、その結果、端末は、セルの競合がないリソース上で通信を実施する。端末が短時間内に1つのセルから別のセルに移動するとき、それは、端末が短時間の間1つのセルに留まることができず、セルハンドオーバが容易に発生することを示す。したがって、ネットワークデバイスは、端末に競合がないリソースを割り振らず、その結果、端末は、セルの競合リソース上で通信を実施する場合がある。
【００３３】
ネットワークデバイスは、端末から端末の現在位置を取得するようにさらに要求する場合がある。端末は、複数の具体的な方式で現在位置を取得することができ、たとえば、端末は、ナビゲーションデバイスを使用することにより、または端末に設けられたセンサを使用することにより測位を実施し、端末の現在の位置パラメータを取得する。次いで、位置パラメータは、端末情報に追加され、ネットワークデバイスに報告され、次いで、ネットワークデバイスは、端末によって報告された現在の位置パラメータ、すなわちセル内の端末の位置に従って、端末がセル内の指定領域内に位置するかどうかを判定する。
【００３４】
本発明のこの実施形態では、端末情報は、少なくとも、端末の移動速度およびセル内の端末の位置などの、端末の移動状態を表すために使用されるパラメータを含む場合がある。ネットワークデバイスは、端末の移動状態を表す取得されたパラメータに従って、端末がどのように移動するかを分析し、端末が容易にセルを離れるかどうかを判定する。端末が容易にセルを離れる場合、端末の状態は第1の状態として判断され、端末が容易にセルを離れない場合、端末の状態は第2の状態として判断される。
【００３５】
102．ネットワークデバイスが端末情報に従って端末の状態を特定する。
【００３６】
端末の状態は、第1の状態または第2の状態を含む
【００３７】
103．端末が第1の状態にあるとき、端末がセルの競合リソース上で通信を実施する。
【００３８】
104．端末が第2の状態にあるとき、ネットワークデバイスがセルの競合がないリソースを端末に割り振る。
【００３９】
102が実施された後、103または104が実施され得ることに留意されたい。
【００４０】
本発明のこの実施形態では、第1の状態はidle状態であり得るし、第2の状態はconnected状態であり得る。たとえば、基地局Aおよび基地局Bは、図2に示されたワイヤレスネットワーク内に配置され、端末は、車載端末デバイスAおよび車載端末デバイスBである。ネットワークデバイスは実行体として働き、基地局Aおよび車載端末デバイスAはセルA内に位置し、基地局Bおよび車載端末デバイスBはセルB内に位置する。車載端末デバイスAがidle状態にある場合、idle状態にある車載端末デバイスAがセルAとセルBとの間を移動すると、セル選択およびセル再選択のプロセスが実施される。主要なプロセスは、車載端末デバイスAが物理層の測定を実施し、セルAおよびセルBから最も強い信号を有する1つのセルを選択し、そのセルにキャンプオンし、車載端末デバイスAが、競合方式でセルの競合リソースからリソースを取得して、車載端末デバイスAから別の端末への通信を実施することである。車載端末デバイスBがconnected状態にあるとき、connected状態にある車載端末デバイスBがセルAとセルBとの間を移動すると、セル間のハンドオーバが実施され、基地局は、車載端末デバイスBにセルの競合がないリソース上のセルの競合がないリソースを割り振って、車載端末デバイスBから別の端末への通信を保証する。
【００４１】
たとえば、具体的なシグナリング交換手順が図3に概略が示され、ソース基地局が端末上の測定制御を実施し、端末がソース基地局に測定報告を送信し、ソース基地局が端末によって送信された測定報告に従ってハンドオーバ判定を実施し、ターゲット基地局にハンドオーバ要求を送信し、ターゲット基地局がアクセス制御を実施し、ソース基地局にハンドオーバ要求確認応答シグナリングを送信し、ソース基地局が端末にRRC（Radio Resource Control、無線リソース制御）接続再構成シグナリングを送信し、端末が古いセルから離れ、新しいセルに同期し、ソース基地局がターゲット基地局に、送信中のキャッシュされたデータパケットを寄託し、ソース基地局がシーケンス番号状態遷移を実施し、端末がターゲット基地局に同期し、ターゲット基地局が端末にアップリンク割振りおよびタイミング進行の情報シグナリングを送信し、端末がターゲット基地局にRRC接続再構成完了シグナリングを送信し、ターゲット基地局がモビリティ管理エンティティに経路ハンドオーバ要求を送信し、モビリティ管理エンティティがサービングゲートウェイに修正ベアラ要求を送信し、サービングゲートウェイがダウンリンク経路をハンドオーバし、モビリティ管理エンティティに修正ベアラ応答シグナリングを送信し、モビリティ管理エンティティがターゲット基地局に経路ハンドオーバ要求確認応答シグナリングを送信し、ターゲット基地局がソース基地局に端末コンテキスト解放シグナリングを送信し、ソース基地局がリソースを解放し、それによりセルハンドオーバが完了する。
【００４２】
したがって、以上のように、既存のハンドオーバプロセスはかなり複雑であり、端末の高速移動に起因して、ハンドオーバプロセスが頻繁に実行され、複雑なハンドオーバプロセスが複数回繰り返され、シグナリング交換のオーバーヘッドは過度に大きい。たとえば、移動速度が速く、端末が現在のセルのネットワークリソースを有効に使用することなくセルを離れるので、端末は、再びハンドオーバを実施するさらに必要がある。
【００４３】
本発明のこの実施形態において提供されるセル内の情報伝送方法によれば、ネットワークデバイスは、セル内の取得された端末情報に従って端末の状態を特定し、端末の状態に従って、端末が通信を実施するときに使用されるネットワークリソースを調整する。従来技術では、セル間の高速移動に起因して端末がセルハンドオーバを頻繁に実行して、端末が通信を実施するときに使用されるネットワークリソースを調整することと比較して、本発明では、ネットワークデバイスは、取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、端末の状態を特定して、端末が通信を実施するときに使用されるネットワークリソースを調整し、それにより、大量のネットワーク帯域幅の占有を回避し、ワイヤレスネットワークの情報伝送効率を改善する。
【００４４】
本発明のこの実施形態では、ネットワークデバイスは、端末の移動速度が速度しきい値よりも大きいかどうかを検出することにより、端末の状態を特定することができる。したがって、図1または図1aに示された実装方式に基づいて、102は図4に示された1021〜1023として実装される場合がある。
【００４５】
1021．端末の移動速度が速度しきい値よりも大きいかどうかをネットワークデバイスが検出する。
【００４６】
1022．端末の移動速度が速度しきい値よりも大きいことをネットワークデバイスが検出した場合、端末が第1の状態に入ると判断する。
【００４７】
1023．端末の移動速度が速度しきい値よりも小さいかまたは等しいことをネットワークデバイスが検出した場合、端末が第2の状態に入ると判断する。
【００４８】
本発明のこの実施形態では、基地局は、車載端末デバイスの移動速度が速度しきい値よりも大きいかどうかを検出することにより、車載端末デバイスの状態を特定する。
【００４９】
車載端末デバイスの移動速度が速度しきい値よりも大きいことを基地局が検出した場合、車載端末デバイスがidle状態に入ると判断され、車載端末デバイスの移動速度が速度しきい値よりも小さいかまたは等しいことを基地局が検出した場合、車載端末デバイスがconnected状態に入ると判断される。
【００５０】
各ネットワークデバイスは速度しきい値を有し、速度しきい値はセル最適化プロセスにおいてあらかじめ設定される場合があるか、またはセル内の端末特性に従って動的または半静的に調整される場合があり、異なるネットワークデバイスの場合、速度しきい値は同じ場合があるか、または異なる場合があることに留意されたい。
【００５１】
たとえば、図4aに示されたように、車載端末デバイスAが道路に沿って進む場合、車載端末デバイスAがセルA内の第1の位置にあり、基地局Aが速度しきい値Xをブロードキャストし、車載端末デバイスAの移動速度Vが速度しきい値Xよりも大きいとき、この場合車載端末デバイスAがidle状態に入ると判断され、車載端末デバイスAはランダムアクセス（Random Access Channel、RACH）プロセスをトリガしてセルにアクセスする必要がなく、車載端末デバイスAがセルB内の第2の位置にあり、基地局Bが速度しきい値Xをブロードキャストし、車載端末デバイスAの移動速度Vが速度しきい値Xよりも小さいとき、この場合車載端末デバイスAがconnected状態に入ると判断され、車載端末デバイスAはランダムアクセスプロセスを開始してセルにアクセスする必要がある。
【００５２】
本発明のこの実施形態において提供されるセル内の情報伝送方法によれば、ネットワークデバイスは、取得された端末の移動速度に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得された端末の移動速度と速度しきい値との間の大小関係に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、端末の移動速度と速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【００５３】
本発明のこの実施形態では、ネットワークデバイスは、セル内の端末の位置に従って端末の状態を特定することができる。したがって、図1または図1aに示された実装方式に基づいて、102は図5に示された1024〜1026として実装される場合がある。
【００５４】
1024．ネットワークデバイスが、セル内の端末の位置に従って、端末がセル内の指定領域内に位置するかどうかを判定する。
【００５５】
1025．端末がセル内の指定領域内に位置するとネットワークデバイスが判定した場合、端末が第1の状態に入ると判断する。
【００５６】
1026．端末がセル内の指定領域内に位置しないとネットワークデバイスが判定した場合、端末が第2の状態に入ると判断する。
【００５７】
本発明のこの実施形態では、基地局は、セル内の車載端末デバイスの位置に従って、車載端末デバイスがセル内の指定領域内に位置するかどうかを判定して、車載端末デバイスが入る状態を特定する。車載端末デバイスがセル内の指定領域内に位置すると基地局が判定した場合、車載端末デバイスがidle状態に入ると判断され、車載端末デバイスがセル内の指定領域内に位置しないと基地局が判定した場合、車載端末デバイスがconnected状態に入ると判断される。
【００５８】
セル内の指定領域は、セル内のセルの縁部に近い領域であり得るか、またはセル内のあらかじめ設定された別の領域であり得ることに留意されたい。たとえば、図5aに示されたように、環状道路がセル内に存在し、環状道路がセルの縁部領域内に位置するが、環状道路が位置する領域がセルのカバレージに入る場合、セルのカバレージ内の環状道路の外側の領域の一部が指定領域に設定される場合がある。たとえば、環状道路と基地局との間の領域の一部が、指定領域として使用される場合がある。車載端末デバイスBが設置された車両は、環状道路に沿って進み、その間ずっとセル内にある。車載端末デバイスAが設置された車両は、車載端末デバイスBよりも基地局に近いが、車載端末デバイスAは指定領域内に位置する。車載端末デバイスAはidle状態に入り、車載端末デバイスBはconnected状態に入る。
【００５９】
本発明のこの実施形態において提供されるセル内の情報伝送方法によれば、ネットワークデバイスは、取得されたセル内の端末の位置に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得されたセル内の端末の位置がセル内の指定領域内に位置するかどうかに従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、セル内の端末の位置がセル内の指定領域内に位置するかどうかに従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【００６０】
本発明のこの実施形態では、端末情報は、端末の移動方向をさらに含む場合がある。したがって、図5に示された実装方式に基づいて、1025は図6に示された10251〜10253として実装される場合がある。
【００６１】
10251．端末が指定領域内に位置すると判定されると、ネットワークデバイスは、移動方向に従って、端末がセルの中心から遠ざかるかどうかを判定する。
【００６２】
本発明のこの実施形態では、ネットワークデバイスは、端末から端末の移動方向を取得するように要求することができるか、または前回における端末の位置と今回における端末の位置とを比較することにより、端末の移動方向がセルの中心から遠ざかるかどうかを判定することができる。端末は、ナビゲーションデバイスを使用することにより、または端末に設けられたジャイロスコープもしくはセンサを使用することにより、端末の現在の方向パラメータを測定することができる。次いで、方向パラメータはネットワークデバイスに報告される。
【００６３】
端末がセルの中心位置から遠く離れており、端末がセルの縁部に向かって移動するとき、端末はセルの中心から遠ざかると考えることができることに留意されたい。たとえば、図5bに示されたセルでは、ネットワークデバイスは基地局であり、基地局はセルの中心に位置し、セルのカバレージは円形である。中心位置および方向を取得した後、端末は基地局に端末情報として位置パラメータおよび方向パラメータを報告し、その結果、基地局は、端末の現在位置および移動方向を取得する。端末の現在位置およびセルの中心が位置する線分がdであり、端末の現在位置を開始点として使用し、端末の現在の移動方向に沿う半直線がlであり、dとlによって形成される角度がαである。αが90°よりも大きい場合、端末がセルの中心から遠ざかると考えることができ、αが90°よりも小さいかまたは等しい場合、端末がセルの中心に近づくと考えることができる。
【００６４】
10252．端末がセルの中心から遠ざかる場合、端末が第1の状態に入ると判断する。
【００６５】
10253．端末がセルの中心から遠ざからない場合、端末が第2の状態に入ると判断する。
【００６６】
本発明のこの実施形態では、車載端末デバイスがセルの中心から遠ざかる場合、車載端末デバイスがidle状態に入ると判断され、車載端末デバイスがセルの中心に近づく場合、車載端末デバイスがconnected状態に入ると判断される。
【００６７】
たとえば、図6aに示されたように、車載端末デバイスAは道路1に沿って進み、車載端末デバイスBは道路2に沿って進み、基地局AはセルA内でSIB（System Information Block、システム情報ブロック）をブロードキャストする。車載端末デバイスAはセルAの中心に近づくので、車載端末デバイスAはこの場合connected状態に入ると判断され、車載端末デバイスAはランダムアクセスプロセスを開始してセルにアクセスし、車載端末デバイスBはセルAの中心から遠ざかるので、車載端末デバイスBはこの場合idle状態に入ると判断され、車載端末デバイスBはランダムアクセスプロセスを開始しない。
【００６８】
端末の移動状態を表し、端末が容易にセルを離れるかどうかを判定するためにネットワークデバイスによって使用されるパラメータは、端末の移動速度、セル内の端末の位置などに限定されず、端末の移動方向などのパラメータでもあり得るし、ネットワークデバイスは、端末の移動状態を表す1つのパラメータに従って判定を実施することができ、端末の移動状態を表す複数のパラメータに従って判定を実施することもできる。たとえば、
【００６９】
ユーザは、要件に従って、車載端末デバイスの移動状態を表すパラメータの優先度をあらかじめ設定することができ、たとえば、車載端末デバイスの移動状態を表すパラメータは、車載端末デバイスの移動速度およびセル内の車載端末デバイスの位置を含み、ユーザは、車載端末デバイスの移動速度およびセル内の車載端末デバイスの位置の優先度をあらかじめ設定することができる。図5aに示されたように、環状道路がセル内に存在し、環状道路がセルの縁部領域内に位置するが、環状道路が位置する領域がセルのカバレージに入る場合、セルのカバレージ内の環状道路の外側の領域の一部が指定領域に設定される場合がある。たとえば、環状道路と基地局との間の領域の一部が、指定領域として使用される場合がある。車載端末デバイスBが設置された車両は、環状道路に沿って進み、その間ずっとセル内にある。車載端末デバイスAが設置された車両は、車載端末デバイスBよりも基地局に近いが、車載端末デバイスAは指定領域内に位置する。
【００７０】
車載端末デバイスAの移動速度はあらかじめ設定された速度しきい値よりも小さく、車載端末デバイスAは指定領域内に位置し、車載端末デバイスBの移動速度はあらかじめ設定された速度しきい値よりも大きく、車載端末デバイスBは非指定領域内に位置する。車載端末デバイスの移動速度の優先度がセル内の車載端末デバイスの位置の優先度よりも高い場合、車載端末デバイスの移動速度に従って、車載端末デバイスAがconnected状態に入り、車載端末デバイスBがidle状態に入ると判断される。車載端末デバイスの移動速度の優先度がセル内の車載端末デバイスの位置の優先度よりも低い場合、セル内の車載端末デバイスの位置に従って、車載端末デバイスAがidle状態に入り、車載端末デバイスBがconnected状態に入ると判断される。
【００７１】
別の例を挙げると、図5aに示されたように、環状道路がセル内に存在し、環状道路がセルの縁部領域内に位置するが、環状道路が位置する領域がセルのカバレージに入る場合、セルのカバレージ内の環状道路の外側の領域の一部が指定領域に設定される場合がある。たとえば、環状道路と基地局との間の領域の一部が、指定領域として使用される場合がある。車載端末デバイスBが設置された車両は、環状道路に沿って進み、その間ずっとセル内にある。車載端末デバイスAが設置された車両は、車載端末デバイスBよりも基地局に近いが、車載端末デバイスAは指定領域内に位置し、基地局から離れて進む。ユーザは、時間期間内の車載端末デバイスの進行方向に従って、車載端末デバイスが、基地局から離れており、セルのカバレージ領域の外側にある領域に向かって進むか、基地局に近づく方向に進むかを判定することができる。車載端末デバイスAが、基地局より離れており、セルのカバレージ領域の外側にある領域に向かって進む場合、車載端末デバイスAはidle状態に入り、車載端末デバイスBは環状道路に沿って進み、車載端末デバイスBはconnected状態に入る。しかしながら、車載端末デバイスBが時間期間内に進行方向を変更し、進行方向が車載端末デバイスAの進行方向と一致する、すなわち、基地局から離れており、セルのカバレージ領域の外側にある領域に向かって進むとき、車載端末デバイスBはidle状態に入る。ユーザは、時間期間内の車載端末デバイスの移動速度に従って、車載端末デバイスの進行方向をさらに特定することができることに留意されたい。たとえば、ユーザは、現在の道路状態に従って移動速度のしきい値をあらかじめ設定するか、または車載端末デバイスの以前の移動速度に従って移動速度の経験値を取得し、しきい値として経験値を使用し、次いで車載端末デバイスの移動速度としきい値との間の関係を特定して、現在の車載端末デバイスが位置するセルのカバレージ領域内の道路状態を特定し、それにより、道路状態に従って車載端末デバイスの進行方向、すなわち、車載端末デバイスがダウンタウンに向かって進むか、または車載端末デバイスがダウンタウンから離れて進むかを特定することができる。車載端末デバイスの移動速度がしきい値よりも大きいとき、車載端末デバイスがダウンタウンに向かって進むと考えることができ、車載端末デバイスの移動速度がしきい値よりも小さいとき、車載端末デバイスがダウンタウンから離れて進むと考えることができる。
【００７２】
本発明のこの実施形態において提供されるセル内の情報伝送方法によれば、ネットワークデバイスは、取得されたセル内の端末の移動方向に従って、端末がセルの中心から遠ざかるかどうかを判定し、端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、指定領域内に位置する端末の取得された移動方向に従って、端末がセルの中心から遠ざかるかどうかを判定し、端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、指定領域内に位置する端末の移動方向に従って、端末が指定された時間内にセルのカバレージを離れるかどうかを判定し、端末の状態を特定して、端末が通信を実施するときに使用されるネットワークリソースを調整し、それにより、大量のネットワーク帯域幅の占有を回避し、ワイヤレスネットワークの情報伝送効率を改善する。
【００７３】
本発明の実施形態はワイヤレスネットワークに適用される場合があり、ワイヤレスネットワークは、少なくともネットワークデバイスおよび端末を含み、端末はネットワークデバイスのセル内に位置し、ネットワークデバイスは、具体的には基地局であり得るし、端末デバイスは、具体的にはPAD、スマートフォン、車載端末などであり得る。
【００７４】
本発明の実施形態はセル内の情報伝送方法を提供する。図7または図7aに示されたように、方法は以下のステップを含む。
【００７５】
201．端末がネットワークデバイスによって送信された信号を受信する。
【００７６】
ネットワークデバイスによって送信された信号は少なくともしきい値情報を含む。ネットワークデバイスによって送信され、端末によって受信された信号は、ネットワークデバイスによってブロードキャストされた端末情報か、または、ネットワークデバイスによって送信され、端末によって受信された、端末情報を含む制御シグナリングであり得る。
【００７７】
202．端末が端末情報を取得する。
【００７８】
端末情報は、少なくとも端末の移動速度を含み、かつ／または端末情報は、端末のアップリンクデータの伝送状態を表すために使用される。
【００７９】
一例として車載端末デバイスを使用すると、車載端末デバイスは、基地局によってブロードキャストされた速度しきい値または物理層のパラメータしきい値などのしきい値情報を受信し、車載端末デバイスの移動速度を取得し、かつ／または車載端末デバイスのアップリンクデータの伝送状態を取得する。
【００８０】
ブロードキャスト信号は、競合リソースおよび競合がないリソースに基づく割振りメッセージなどの情報をさらに含み、ブロードキャスト信号は、同期信号、システムブロードキャストメッセージ、公共制御チャネル、RRCシグナリングなどで運ばれる場合があることに留意されたい。移動速度の場合、速度推定は、物理層のダウンリンク基準信号を使用することにより、端末によって実施される場合があり、チャネル推定は、ダウンリンク基準信号に従って実施される場合があり、次いで、2タイムスロットチャネル推定用の自己相関関数（Autocorrelation Function）が取得され、チャネル自己相関関数は、ゼロベッセル関数（zero Bessel function）に準拠する。次いで、移動速度の推定値を取得するために、端末の移動速度とベッセル関数との間の1対1マッピング関係が使用され、かつ／または移動速度がアプリケーション層から取得される。一例として車載端末デバイスである端末を使用すると、車載端末デバイスの移動速度はアプリケーション層から取得される場合があり、アプリケーション層は、車載端末デバイスの移動速度を物理層または別の層に搬送する。
【００８１】
端末の移動速度の推定は、ダウンリンク基準信号を使用することにより端末上で実施される場合があるか、またはアップリンク基準信号を使用することによりネットワークデバイス上で実施される場合があり、次いで、シグナリングを使用することにより端末にフィードバックされる。
【００８２】
203．端末が、端末情報およびネットワークデバイスによって送信された信号に従って、端末の状態を特定する。
【００８３】
端末の状態は、第1の状態または第2の状態を含む
【００８４】
204．端末が第1の状態にあるとき、端末がセルの競合リソース上で通信を実施する。
【００８５】
205．端末が第2の状態にあるとき、端末がネットワークデバイスにセルの競合がないリソースを要求する。
【００８６】
端末情報は、ネットワークデバイスによって取得され、ネットワークデバイスによって送信された信号から端末によって取得さる場合があるか、または端末によって検出される場合があることに留意されたい。したがって、201および202は順番に従って実施される場合があるか、または同時に実施される場合があり、203が実施された後、204または205が実施される場合がある。
【００８７】
本発明のこの実施形態では、第1の状態はidle状態であり得るし、第2の状態はconnected状態であり得るし、車載端末デバイスは、移動速度および速度しきい値などの、取得された端末情報およびブロードキャスト信号に従って、車載端末デバイスの状態がidle状態またはconnected状態であると特定する。たとえば、基地局Aおよび基地局Bは、図2に示されたワイヤレスネットワーク内に配置され、端末は、車載端末デバイスAおよび車載端末デバイスBである。端末は実行体として働き、基地局Aおよび車載端末デバイスAはセルA内に位置し、基地局Bおよび車載端末デバイスBはセルB内に位置する。車載端末デバイスAがidle状態にある場合、idle状態にある車載端末デバイスAがセルAとセルBとの間を移動すると、セル選択およびセル再選択のプロセスが実施される。主要なプロセスは、車載端末デバイスAが物理層の測定を実施し、セルAおよびセルBから最も強い信号を有する1つのセルを選択し、そのセルにキャンプオンし、車載端末デバイスAが、競合方式でセルの競合リソースからリソースを取得して、車載端末デバイスAから別の端末への通信を実施することである。車載端末デバイスBがconnected状態にあるとき、connected状態にある車載端末デバイスBがセルAとセルBとの間を移動すると、セル間のハンドオーバが実施され、基地局は、車載端末デバイスBにセルの競合がないリソース上のセルの競合がないリソースを割り振って、車載端末デバイスBから別の端末への通信を保証する。
【００８８】
したがって、以上のように、既存のハンドオーバプロセスはかなり複雑であり、端末の高速移動に起因して、ハンドオーバプロセスが頻繁に実行され、シグナリング交換のオーバーヘッドは過度に大きい。たとえば、移動速度が速く、端末が現在のセルのネットワークリソースを有効に使用することなくセルを離れるので、端末は、再びハンドオーバを実施するさらに必要がある。その上、実際の適用例では、多くの端末はセルの縁部において速く移動し、縁部における端末は、通常、アップリック制限され、アップリック制限されることは、端末からネットワークデバイスにアップリンクデータをスムーズに転送することができないことを指し、アップリック制限されないことは、端末からネットワークデバイスにアップリンクデータをスムーズに転送することができることを指す。
【００８９】
本発明のこの実施形態において提供されるセル内の情報伝送方法によれば、端末は、ネットワークデバイスによって送信された、受信された信号、および取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【００９０】
本発明のこの実施形態では、ネットワークデバイスによって送信されたしきい値情報が速度しきい値を表すために使用されるとき、端末は、端末の移動速度が速度しきい値よりも大きいかどうかを検出することにより、端末の状態を特定することができる。したがって、図7または図7aに示された実装方式に基づいて、203は図8に示された2031〜2033として実装される場合がある。
【００９１】
2031．移動速度が速度しきい値よりも大きいかどうかを端末が検出する。
【００９２】
2032．端末の移動速度が速度しきい値よりも大きいことを端末が検出した場合、端末が第1の状態に入ると判断する。
【００９３】
2033．端末の移動速度が速度しきい値よりも小さいかまたは等しいことを端末が検出した場合、端末が第2の状態に入ると判断する。
【００９４】
本発明のこの実施形態では、車載端末デバイスは、車載端末デバイスの移動速度が速度しきい値よりも大きいかどうかを検出することにより、車載端末デバイスの状態を特定する。
【００９５】
車載端末デバイスの移動速度が速度しきい値よりも大きいことを車載端末デバイスが検出した場合、車載端末デバイスがidle状態に入ると判断され、車載端末デバイスの移動速度が速度しきい値よりも小さいかまたは等しいことを車載端末デバイスが検出した場合、車載端末デバイスがconnected状態に入ると判断される。
【００９６】
本発明のこの実施形態において提供されるセル内の情報伝送方法によれば、端末は、ネットワークデバイスによって送信された、受信された速度しきい値、および取得された端末の移動速度に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された速度しきい値、および取得された端末の移動速度に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の移動速度とネットワークデバイスによって送信された速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【００９７】
本発明のこの実施形態では、図7または図7aに示された実装方式に基づいて、202は図9に示された2021として実装される場合があり、203は図9に示された2034〜2036として実装される場合がある。
【００９８】
2021．端末が物理層の測定を実施し、物理層のパラメータを取得する。
【００９９】
物理層のパラメータは、少なくとも、基準信号受信品質RSRQおよび／または基準信号受信電力RSRPを含む。
【０１００】
本発明のこの実施形態では、物理層のパラメータは、RSRP（Reference Signal Receiving Power、基準信号受信電力）および／またはRSRQ（Reference Signal Receiving Quality、基準信号受信品質）であり得るし、車載端末デバイスは、基地局によって送信された信号を受信するときにRSRPおよび／またはRSRQを取得する。
【０１０１】
2034．端末が物理層のパラメータを物理層のパラメータしきい値と比較して、端末がアップリンク制限されるかどうかを判定する。
【０１０２】
しきい値情報は、物理層のパラメータしきい値を表すためにさらに使用される。
【０１０３】
2035．端末がアップリンク制限される場合、端末は第1の状態に入ると判断する。
【０１０４】
2036．端末がアップリンク制限されない場合、端末は第2の状態に入ると判断する。
【０１０５】
本発明のこの実施形態では、物理層のパラメータはRSRPおよび／またはRSRQであり得るし、車載端末デバイスは、ダウンリンク基準信号、たとえばCRS（Cell‐Specific Reference Signal、セル固有基準信号）、またはCSI‐RS（Channel State Information Reference Signal、チャネル状態情報基準信号）などの基準信号に従って物理層の測定を実施し、RSRPおよび／またはRSRQを測定し、測定結果をRSRPしきい値および／またはRSRQしきい値と比較し、それにより、車載端末デバイスがアップリンク制限されるかどうかを検出し、次いで、車載端末デバイスが入る状態を特定する。
【０１０６】
たとえば、測定された物理層のパラメータがRSRPであるとき、RSRPがRSRPしきい値よりも大きい場合、車載端末デバイスが非アップリンク制限領域内にあると考えられ、車載端末デバイスがconnected状態に入ると判断され、RSRPがRSRPしきい値よりも小さいかまたは等しい場合、車載端末デバイスがアップリンク制限領域内にあると考えられ、車載端末デバイスがidle状態に入ると判断される。
【０１０７】
本発明のこの実施形態において提供されるセル内の情報伝送方法によれば、端末は、ネットワークデバイスによって送信された信号が受信されたときの物理層のパラメータに従って、端末がアップリンク制限されるかどうかを検出して端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、端末の状態を特定し、端末が通信を実施するときに使用されるネットワークリソースを調整するために、ネットワークデバイスによって送信された信号が受信されたときの物理層のパラメータと対応するしきい値との間の大小関係に従って、端末がアップリンク制限されるかどうかを検出することができる。したがって、セル内の端末の移動速度が速く、結果として端末が複数のセルの間を頻繁に往復するとき、端末は、物理層のパラメータと対応するしきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１０８】
本発明のこの実施形態では、ネットワークデバイスによって送信され、端末によって受信された信号は、ネットワークデバイスによってブロードキャストされ、端末によって受信された端末情報、または、端末情報を含み、ネットワークデバイスによって送信され、端末によって受信された制御シグナリングを含む場合があり、具体的には、RRCシグナリング、または物理制御チャネル上で伝送される他のシグナリングであり得る。ネットワークデバイスは、端末情報を制御シグナリングのブランクフィールドに追加することができ、その結果、制御シグナリングは端末情報を運ぶ。
【０１０９】
本発明のこの実施形態において提供されるセル内の情報伝送方法によれば、端末は、ネットワークデバイスによって送信された、受信された信号、および取得された端末情報に従って端末の状態を特定し、端末の状態に従って、端末が通信を実施するときに使用されるネットワークリソースを調整する。端末情報は、ネットワークデバイスによってブロードキャストされた端末情報を受信すること、または、端末情報を含み、ネットワークデバイスによって送信された制御シグナリングを受信することによって取得される場合がある。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１１０】
本発明の実施形態は、セル内の情報伝送装置30を提供する。図10に示されたように、装置30はワイヤレスネットワークに適用され、ワイヤレスネットワークは、少なくともネットワークデバイスおよび端末を含み、端末はネットワークデバイスのセル内に位置し、装置30は、
端末情報を取得するように構成された取得モジュール31であって、端末情報が端末の移動速度および／またはセル内の端末の位置を含む、取得モジュール31と、
取得モジュール31によって取得された端末情報に従って端末の状態を特定するように構成された特定モジュール32であって、端末の状態が第1の状態または第2の状態を含む、特定モジュール32と
を含む。
【０１１１】
端末が第1の状態にあるとき、端末はセルの競合リソース上で通信を実施し、端末が第2の状態にあるとき、ネットワークデバイスはセルの競合がないリソースを端末に割り振る。
【０１１２】
本発明のこの実施形態において提供されるセル内の情報伝送装置によれば、ネットワークデバイスは、セル内の取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する、従来技術における解決策と比較して、本発明では、ネットワークデバイスは、取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスまたは端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１１３】
本発明のこの実施形態では、特定モジュール32は、具体的に、
取得モジュール31によって取得された端末の移動速度が速度しきい値よりも大きいかどうかを検出し、端末の移動速度が速度しきい値よりも大きい場合、端末が第1の状態に入ると判断することと、
端末の移動速度が速度しきい値よりも小さいかまたは等しい場合、端末が第2の状態に入ると判断することと
を行うように構成される。
【０１１４】
本発明のこの実施形態において提供されるセル内の情報伝送装置によれば、ネットワークデバイスは、取得された端末の移動速度に従ってセル内の端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得された端末の移動速度と速度しきい値との間の大小関係に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、端末の移動速度と速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１１５】
本発明のこの実施形態では、特定モジュール32は、具体的に、
取得モジュール31によって取得されたセル内の端末の位置に従って、端末がセル内の指定領域内に位置するかどうかを判定することと、
端末が指定領域内に位置する場合、端末が第1の状態に入ると判断し、端末が指定領域内に位置しない場合、端末が第2の状態に入ると判断することと
を行うようにさらに構成される。
【０１１６】
本発明のこの実施形態において提供されるセル内の情報伝送装置によれば、ネットワークデバイスは、取得されたセル内の端末の位置に従ってセル内の端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得されたセル内の端末の位置がセル内の指定領域内に位置するかどうかに従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、セル内の端末の位置がセル内の指定領域内に位置するかどうかに従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１１７】
本発明のこの実施形態では、端末情報は端末の移動方向をさらに含み、
特定モジュール32は、具体的に、
端末が指定領域内に位置すると判定されると、取得モジュール31によって取得された移動方向に従って、端末がセルの中心から遠ざかるかどうかを判定することと、
端末がセルの中心から遠ざかる場合、端末が第1の状態に入ると判断し、端末がセルの中心から遠ざからない場合、端末が第2の状態に入ると判断することと
を行うようにさらに構成される。
【０１１８】
本発明のこの実施形態において提供されるセル内の情報伝送装置、および本発明のこの実施形態において提供されるネットワークデバイスによれば、ネットワークデバイスは、取得されたセル内の端末の移動方向に従って、端末がセルの中心から遠ざかるかどうかを判定し、端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、指定領域内に位置する端末の取得された移動方向に従って、端末がセルの中心から遠ざかるかどうかを判定し、端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、指定領域内に位置する端末の移動方向に従って、端末が指定された時間内にセルのカバレージを離れるかどうかを判定し、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１１９】
本発明の実施形態は、セル内の情報伝送装置40を提供する。図11に示されたように、装置40はワイヤレスネットワークに適用され、ワイヤレスネットワークは、少なくともネットワークデバイスおよび端末を含み、端末はネットワークデバイスのセル内に位置し、装置40は、
ネットワークデバイスによって送信された信号を受信するように構成された受信モジュール41であって、ネットワークデバイスによって送信された信号が少なくともしきい値情報を含む、受信モジュール41と、
端末情報を取得するように構成された取得モジュール42であって、端末情報が少なくとも端末の移動速度を含み、かつ／または端末情報が端末のアップリンクデータの伝送状態を表すために使用される、取得モジュール42と、
取得モジュール42によって取得された端末情報およびネットワークデバイスによって送信された信号に従って端末の状態を特定するように構成された特定モジュール43であって、端末の状態が第1の状態または第2の状態を含む、特定モジュール43と
を含む。
【０１２０】
端末が第1の状態にあるとき、端末はセルの競合リソース上で通信を実施し、端末が第2の状態にあるとき、ネットワークデバイスにセルの競合がないリソースを要求する。
【０１２１】
本発明のこの実施形態において提供されるセル内の情報伝送装置によれば、端末は、ネットワークデバイスによって送信された、受信された信号、および取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１２２】
本発明のこの実施形態では、しきい値情報は速度しきい値を表すために使用され、特定モジュール43は、具体的に、
取得モジュール42によって取得された移動速度が速度しきい値よりも大きいかどうかを検出し、移動速度が速度しきい値よりも大きい場合、端末が第1の状態に入ると判断することと、
端末の移動速度が速度しきい値よりも小さいかまたは等しい場合、端末が第2の状態に入ると判断することと
を行うように構成される。
【０１２３】
本発明のこの実施形態において提供されるセル内の情報伝送装置によれば、端末は、ネットワークデバイスによって送信された、受信された速度しきい値、および取得された端末の移動速度に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された速度しきい値、および取得された端末の移動速度に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の移動速度とネットワークデバイスによって送信された速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１２４】
本発明のこの実施形態では、取得モジュール42は、具体的に、
物理層の測定を実施し、物理層のパラメータを取得すること
を行うように構成され、物理層のパラメータは、少なくとも基準信号受信品質RSRQおよび／または基準信号受信電力RSRPを含む。
【０１２５】
特定モジュール43は、具体的に、
取得モジュール42によって取得された物理層のパラメータを物理層のパラメータしきい値と比較し、端末がアップリンク制限されるかどうかを判定することであって、しきい値情報が物理層のパラメータしきい値を表すためにさらに使用される、ことと、
端末がアップリンク制限される場合、端末が第1の状態に入ると判断し、端末がアップリンク制限されない場合、端末が第2の状態に入ると判断することと
を行うようにさらに構成される。
【０１２６】
本発明のこの実施形態において提供されるセル内の情報伝送装置によれば、端末は、ネットワークデバイスによって送信された信号が受信されたときの物理層のパラメータに従って、端末がアップリンク制限されるかどうかを検出して端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、端末の状態を特定し、端末が通信を実施するときに使用されるネットワークリソースを調整するために、ネットワークデバイスによって送信された信号が受信されたときの物理層のパラメータと対応するしきい値との間の大小関係に従って、端末がアップリンク制限されるかどうかを検出することができる。したがって、セル内の端末の移動速度が速く、結果として端末が複数のセルの間を頻繁に往復するとき、端末は、物理層のパラメータと対応するしきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１２７】
本発明のこの実施形態では、受信モジュール41は、具体的に、
ネットワークデバイスによってブロードキャストされた端末情報を受信すること、または
端末情報を含み、ネットワークデバイスによって送信された制御シグナリングを受信すること
を行うように構成される。
【０１２８】
本発明のこの実施形態において提供されるセル内の情報伝送装置によれば、端末は、ネットワークデバイスによって送信された、受信された信号、および取得された端末情報に従って端末の状態を特定し、端末の状態に従って、端末が通信を実施するときに使用されるネットワークリソースを調整する。端末情報は、ネットワークデバイスによってブロードキャストされた端末情報を受信すること、または、端末情報を含み、ネットワークデバイスによって送信された制御シグナリングを受信することによって取得される場合がある。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１２９】
本発明の実施形態は、ネットワークデバイス50をさらに提供する。ネットワークデバイス50はワイヤレスネットワークに適用される場合があり、ワイヤレスネットワークは、少なくともネットワークデバイス50および端末を含み、端末はネットワークデバイス50のセル内に位置する。図12は、入力ユニット51、プロセッサユニット52、出力ユニット53、通信ユニット54、およびストレージユニット55などの構成要素を含む、ネットワークデバイス50の考えられる具体的な実装方式を示す。これらの構成要素は、1つまたは複数のバスを使用することにより通信を実施する。当業者は、図に示されたネットワークデバイス50の構造が本発明の制限にならず、バス型構造または星型構造であり得るし、ネットワークデバイス50が、図に示された構成要素よりも多い構成要素もしくは少ない構成要素をさらに含む場合があり、またはいくつかの構成要素が組み合わされる場合があるか、もしくは異なる構成要素の配置が使用される場合があることを理解することができる。本発明の実装方式では、ネットワークデバイス50は、データストレージ機能、処理機能、伝送機能を有する任意のデバイスであり得るし、限定はしないが、ブレードサーバ、タワーサーバ、キャビネットサーバ、モバイルワークステーション、パーソナルコンピュータ、および前述の2つ以上の組合せを含む。
【０１３０】
入力ユニット51は、オペレータとネットワークデバイス50および／またはネットワークデバイス50への入力情報との間の対話を実装するように構成される。たとえば、入力ユニット51は、オペレータによって入力された数字情報または文字情報を受け取って、オペレータまたは機能制御に関する信号入力を生成することができる。本発明の具体的な実装方式では、入力ユニット51は、タッチパネルであり得るか、または別の人間とコンピュータの対話インターフェース、たとえば、物理入力キーであり得る。本発明の別の実装方式では、入力ユニット51によって使用される物理入力キーは、限定はしないが、物理キーボード、（音量制御キーまたはスイッチキーなどの）ファンクションキー、トラックボール、マウス、およびジョイスティックのうちの1つまたは複数を含む場合がある。
【０１３１】
プロセッサユニット52は、ネットワークデバイス50の制御センタであり、様々なインターフェースおよびラインを使用することによりネットワークデバイス50全体の各部に接続され、ストレージユニット55に記憶されたソフトウェアプログラムおよび／またはソフトウェアモジュールを起動または実行し、ストレージユニット55に記憶されたデータを呼び出して、ネットワークデバイス50の様々な機能を実行し、かつ／またはデータを処理する。プロセッサユニット52は、集積回路（Integrated Circuit、IC）を含み、たとえば、単一のパッケージICを含むか、または同じ機能もしくは異なる機能を有する複数の連結されたICを含む場合がある。たとえば、プロセッサユニット52は、中央処理装置（Central Processing Unit、CPU）のみを含む場合があるか、または、GPU、デジタル信号プロセッサ（Digital Signal Processor、DSP）、および通信ユニット内の（ベースバンドチップなどの）制御チップの組合せを含む場合がある。本発明の実装方式では、CPUは、単一のコンピューティングコアであり得るか、または複数のコンピューティングコアを含む場合がある。
【０１３２】
通信ユニット54は、通信チャネルを確立するように構成され、その結果、ネットワークデバイス50は、通信チャネルを使用することにより、端末などのデバイスに接続する。端末は、具体的には、リモートサーバであり得る。通信ユニット54は、有線ローカルエリアネットワークモジュール、ワイヤレスローカルエリアネットワーク（Wireless Local Area Network、wireless LAN）モジュール、Bluetooth（登録商標）モジュール、およびベースバンド（Base Band）モジュールなどの通信モジュールを含む場合がある。通信モジュールは、ネットワークデバイス50内の構成要素の通信を制御するように構成され、直接メモリアクセス（Direct Memory Access）をサポートすることができる。
【０１３３】
本発明の様々な実装方式では、通信ユニット54内の通信モジュールは、通常、集積回路チップ（Integrated Circuit Chip）の形態で出現し、選択的に組み合わせることができ、すべての通信モジュールならびに対応する物理ケーブルおよびアンテナグループを含む必要がない。本発明のいくつかのオプションの実装方式では、通信ユニット54内の通信モジュール、たとえばベースバンドモジュールは、通常、クアルコム（Qualcomm）株式会社によって提供されるAPQ＋MDMシリーズのプラットフォームなどの、プロセッサユニット52の中に統合される場合がある。
【０１３４】
出力ユニット53は、限定はしないが、画像出力ユニットおよび音声出力ユニットを含む。画像出力ユニットは、テキスト、画像、および／またはビデオを出力するように構成される。画像出力ユニットはディスプレイパネルを含む場合がある。たとえば、ディスプレイパネルは、LCD（Liquid Crystal Display、液晶ディスプレイ）、OLED（Organic Light‐Emitting Diode、有機発光ダイオード）、電界放出ディスプレイ（field emission display、FED）などを使用することによって構成される場合がある。代替として、画像出力ユニットは、反射ディスプレイ、たとえば電気泳動（electrophoretic）ディスプレイ、または光の分岐干渉変調（Interferometric Modulation of Light）の技術を使用するディスプレイを含む場合がある。画像出力ユニットは、単一のディスプレイ、または様々なサイズの複数のディスプレイを含む場合がある。本発明の具体的な実装方式では、入力ユニット51によって使用されるタッチパネルは、出力ユニット53のディスプレイパネルとして使用される場合もある。たとえば、タッチパネルにタッチするかまたは接近するジェスチャ動作を検出した後、タッチパネルは、タッチイベントのタイプを特定するために、プロセッサユニット52にタッチ動作を転送する。次いで、プロセッサユニット52は、タッチイベントのタイプに従って、ディスプレイパネル上に対応する視覚出力を供給する。図12では、入力ユニット51および出力ユニット53が2つの独立した部分として働いて、ネットワークデバイス50の入力機能および出力機能を実装するが、いくつかの実施形態では、タッチパネルおよびディスプレイパネルは、ネットワークデバイス50の入力機能および出力機能を実装するために一体化される場合がある。たとえば、画像出力ユニットは、ユーザがタッチ制御によって動作を実施するための、限定はしないが、ウィンドウ、スクロールバー、アイコン、およびクリップボードを含む仮想制御構成要素として、様々なグラフィカルユーザインターフェース（Graphical User Interface、GUI）を表示することができる。本発明の具体的な実装方式では、画像出力ユニットは、プロセッサユニット52によって出力されたビデオをフィルタリングおよび増幅するように構成された、フィルタおよび増幅器を含む。音声出力ユニットは、プロセッサユニット52によって出力された音声信号を、デジタルフォーマットからアナログフォーマットに変換するように構成された、デジタルアナログ変換器を含む。
【０１３５】
ストレージユニット55は、ソフトウェアプログラムおよびソフトウェアモジュールを記憶するように構成される場合があり、プロセッサユニット52は、ストレージユニット55に記憶されたソフトウェアプログラムおよびソフトウェアモジュールを起動して、ネットワークデバイス50の様々な機能アプリケーションを実行し、データ処理を実施する。ストレージユニット55は、主に、プログラム記憶領域およびデータ記憶領域を含む。プログラム記憶領域は、オペレーティングシステム、音声再生プログラムおよび画像表示プログラムなどの、少なくとも1つの機能によって必要とされるアプリケーションプログラムを記憶することができる。データ記憶領域は、ネットワークデバイス50の使用に応じて作成された（音声データおよび住所録などの）データなどを記憶することができる。本発明の具体的な実装方式では、ストレージユニット55は、揮発性メモリ、たとえば、不揮発性ランダムアクセスメモリ（Nonvolatile Random Access Memory、NVRAM）、相変化ランダムアクセスメモリ（Phase Change RAM、PRAM）、または磁気抵抗ランダムアクセスメモリ（Magetoresistive RAM、MRAM）を含む場合があり、不揮発性メモリ、たとえば、少なくとも1つの磁気ストレージデバイス、電気的消去可能プログラマブル読取り専用メモリ（Electrically Erasable Programmable Read‐Only Memory、EEPROM）、またはフラッシュメモリ、たとえば、NORフラッシュメモリ（NOR flash memory）もしくはNANDフラッシュメモリ（NAND flash memory）をさらに含む場合がある。不揮発性メモリは、プロセッサユニット52によって実行されるオペレーティングシステムおよびアプリケーションプログラムを記憶する。プロセッサユニット52は、不揮発性メモリからメモリに実行プログラムおよびデータをロードし、大規模記憶装置内にデジタルコンテンツを記憶する。オペレーティングシステムは、メモリ管理、ストレージデバイス制御、および電力管理などの通常のシステムタスクの制御および管理に使用され、様々なタイプのソフトウェアおよびハードウェアの間の通信を容易にする、様々な構成要素および／またはドライバを含む。本発明の実装方式では、オペレーティングシステムは、Linux（登録商標）システム、Appleによって開発されたiOSシステム、もしくはMicrosoftによって開発されたWindowsオペレーティングシステム、またはVxworksなどの組込み型オペレーティングシステムであり得る。アプリケーションプログラムは、ネットワークデバイス50にインストールされた任意のアプリケーションを含み、限定はしないが、ブラウザ、電子メール、インスタントメッセージングサービス、テキスト処理、キーボード仮想化、ウィンドウウィジェット（Widget）、暗号化、デジタル著作権管理、音声認識、音声応答、測位（たとえば、全地球測位システムによって提供される機能）、音楽再生などが含まれる。
【０１３６】
電源56は、ネットワークデバイス50の様々な構成要素の実行を維持するために、それらの構成要素に電力を供給するように構成される。一般的な理解として、電源56は、ネットワークデバイス50に電力を直接供給する外部電源、たとえばACアダプタであり得るし、内蔵バッテリ、たとえば、一般的なリチウムイオン電池またはNiMH電池も含む。本発明のいくつかの実装方式では、電源56はより広い定義を有する場合もあり、たとえば、電力管理システム、充電システム、電源異常検出回路、電力変換器またはインバータ、電力状態インジケータ（たとえば、発光ダイオード）、ならびに、ネットワークデバイス50向けの電気エネルギーの生成、管理、および分配に関する任意の他の構成要素を含む場合もある。
【０１３７】
本発明のこの実施形態では、通信ユニット54は端末情報を取得するように構成され、端末情報は、端末の移動速度および／またはセル内の端末の位置を含む。
【０１３８】
プロセッサユニット52は、通信ユニット54によって取得された端末情報に従って端末の状態を特定するように構成され、端末の状態は第1の状態または第2の状態を含む。
【０１３９】
端末が第1の状態にあるとき、端末はセルの競合リソース上で通信を実施し、端末が第2の状態にあるとき、ネットワークデバイスはセルの競合がないリソースを端末に割り振る。
【０１４０】
本発明のこの実施形態において提供されるネットワークデバイスによれば、ネットワークデバイスは、セル内の取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する、従来技術における解決策と比較して、本発明では、ネットワークデバイスは、取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスまたは端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１４１】
本発明のこの実施形態では、プロセッサユニット52は、具体的に、
通信ユニット54によって取得された端末の移動速度が速度しきい値よりも大きいかどうかを検出し、端末の移動速度が速度しきい値よりも大きい場合、端末が第1の状態に入ると判断することと、
端末の移動速度が速度しきい値よりも小さいかまたは等しい場合、端末が第2の状態に入ると判断することと
を行うように構成される。
【０１４２】
本発明のこの実施形態において提供されるネットワークデバイスによれば、ネットワークデバイスは、取得されたセル内の端末の移動速度に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得された端末の移動速度と速度しきい値との間の大小関係に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、端末の移動速度と速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１４３】
本発明のこの実施形態では、プロセッサユニット52は、具体的に、
通信ユニット54によって取得されたセル内の端末の位置に従って、端末がセル内の指定領域内に位置するかどうかを判定することと、
端末が指定領域内に位置する場合、端末が第1の状態に入ると判断し、端末が指定領域内に位置しない場合、端末が第2の状態に入ると判断することと
を行うようにさらに構成される。
【０１４４】
本発明のこの実施形態において提供されるネットワークデバイスによれば、ネットワークデバイスは、取得されたセル内の端末の位置に従ってセル内の端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得されたセル内の端末の位置がセル内の指定領域内に位置するかどうかに従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、セル内の端末の位置がセル内の指定領域内に位置するかどうかに従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１４５】
本発明のこの実施形態では、端末情報は端末の移動方向をさらに含み、プロセッサユニット52は、具体的に、
端末が指定領域内に位置すると判定されると、通信ユニット54によって取得された移動方向に従って、端末がセルの中心から遠ざかるかどうかを判定することと、
端末がセルの中心から遠ざかる場合、端末が第1の状態に入ると判断し、端末がセルの中心から遠ざからない場合、端末が第2の状態に入ると判断することと
を行うようにさらに構成される。
【０１４６】
本発明のこの実施形態において提供されるネットワークデバイスによれば、ネットワークデバイスは、取得されたセル内の端末の移動方向に従って、端末がセルの中心から遠ざかるかどうかを判定し、端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、指定領域内に位置する端末の取得された移動方向に従って、端末がセルの中心から遠ざかるかどうかを判定し、端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、指定領域内に位置する端末の移動方向に従って、端末が指定された時間内にセルのカバレージを離れるかどうかを判定し、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１４７】
本発明の実施形態は、端末60をさらに提供する。端末60はワイヤレスネットワークに適用される場合があり、ワイヤレスネットワークは、少なくともネットワークデバイスおよび端末60を含み、端末60はネットワークデバイスのセル内に位置する。図13は、入力ユニット61、プロセッサユニット62、出力ユニット63、通信ユニット64、ストレージユニット65、および周辺ユニット66などの構成要素を含む、端末60の考えられる具体的な実装方式を示す。これらの構成要素は、1つまたは複数のバスを使用することにより通信を実施する。当業者は、図に示された端末60の構造が本発明の制限にならず、バス型構造または星型構造であり得るし、端末60が、図に示された構成要素よりも多い構成要素もしくは少ない構成要素をさらに含む場合があり、またはいくつかの構成要素が組み合わされる場合があるか、もしくは異なる構成要素の配置が使用される場合があることを理解することができる。本発明の実装方式では、端末60は任意のモバイル電子デバイスまたはポータブル電子デバイスであり得るし、限定はしないが、モバイルフォン、モバイルコンピュータ、タブレットコンピュータ、携帯情報端末（Personal Digital Assistant、PDA）、メディアプレーヤ、スマートテレビ、および前述の2つ以上の組合せを含む。
【０１４８】
入力ユニット61は、オペレータと端末60および／または端末60への入力情報との間の対話を実装するように構成される。たとえば、入力ユニット61は、オペレータによって入力された数字情報または文字情報を受け取って、オペレータまたは機能制御に関する信号入力を生成することができる。本発明の具体的な実装方式では、入力ユニット61は、タッチパネルであり得るか、または、物理入力キーもしくはマイクロフォンなどの別の人間とコンピュータの対話インターフェースであり得るか、または、別の外部情報取込み装置、たとえばカメラであり得る。タッチスクリーン（touchscreen）またはタッチスクリーン（touch screen）とも呼ばれるタッチパネルは、タッチパネル上またはその近くのユーザの動作アクション、たとえば、指またはスタイラスなどの任意の適切な物体またはアクセサリを使用することによる、タッチパネル上またはタッチパネルの近くの場所におけるユーザの動作アクションを収集し、あらかじめ設定されたプログラムに従って対応する接続装置を駆動することができる。場合によっては、タッチパネルは、2つの部分、タッチ検出装置およびタッチコントローラを含む場合がある。タッチ検出装置は、ユーザのタッチ動作を検出し、検出されたタッチ動作を電気信号に変換し、電気信号をタッチコントローラに送信する。タッチコントローラは、タッチ検出装置から電気信号を受信し、電気信号を接点の座標に変換し、座標をプロセッサユニット62に送信する。タッチコントローラは、処理ユニットによって送信された命令をさらに受信し実行することができる。加えて、タッチパネルは、抵抗性、静電性、赤外線（Infrared）、または表面音響波のタッチパネルであり得る。本発明の別の実装方式では、入力ユニット61によって使用される物理入力キーは、限定はしないが、物理キーボード、（音量制御キーまたはスイッチキーなどの）ファンクションキー、トラックボール、マウス、およびジョイスティックを含む場合がある。マイクロフォン形式の入力ユニットは、ユーザまたは環境による音声入力を収集し、音声入力を、電気信号形式であり、処理ユニットによって実行され得る命令に変換することができる。
【０１４９】
本発明のいくつかの他の実装方式では、入力ユニット61は、さらに、様々な検知デバイス、たとえば、力、トルク、圧力、応力、位置、変位、速度、加速度、角度、角速度、回転、回転速度、および動作状態が変化する時間などの、端末60の物理量を検出して、物理量を電気量に変換して、検出および制御を実施するように構成されたホールデバイスであり得る。いくつかの他の検知デバイスには、重力センサ、3軸加速度計、ジャイロスコープなどがさらに含まれ得る。
【０１５０】
プロセッサユニット62は、端末60の制御センタであり、様々なインターフェースおよびラインを使用することにより端末60全体の各部に接続され、ストレージユニット65に記憶されたソフトウェアプログラムおよび／またはソフトウェアモジュールを起動または実行し、ストレージユニット65に記憶されたデータを呼び出して、端末60の様々な機能を実行し、かつ／またはデータを処理する。プロセッサユニット62は、集積回路（Integrated Circuit、IC）を含み、たとえば、単一のパッケージICを含むか、または同じ機能もしくは異なる機能を有する複数の連結されたICを含む場合がある。たとえば、プロセッサユニット62は、中央処理装置（Central Processing Unit、CPU）のみを含む場合があるか、または、GPU、デジタル信号プロセッサ（Digital Signal Processor、DSP）、および通信ユニット64内の（ベースバンドチップなどの）制御チップの組合せを含む場合がある。本発明の実装方式では、CPUは、単一のコンピューティングコアであり得るか、または複数のコンピューティングコアを含む場合がある。
【０１５１】
通信ユニット64は通信チャネルを確立するように構成され、その結果、端末60は通信チャネルを使用することによりネットワークデバイスなどのデバイスに接続し、端末60は、具体的にはリモートサーバであり得るし、リモートサーバからメディアデータをダウンロードすることができる。通信ユニット64は、有線ローカルエリアネットワークモジュール、ワイヤレスローカルエリアネットワーク（Wireless Local Area Network、ワイヤレスLAN）モジュール、Bluetooth（登録商標）モジュール、およびベースバンド（Base Band）モジュールなどの通信モジュール、ならびに通信モジュールに対応する無線周波（Radio Frequency、RF）回路を含む場合があり、ワイヤレスローカルエリアネットワーク通信、Bluetooth（登録商標）通信、赤外線通信、ならびに／または、セルラー通信システム通信、たとえば、広帯域符号分割多元接続（Wideband Code Division Multiple Access、W‐CDMA）および／もしくは高速ダウンリンクパケットアクセス（High Speed Downlink Packet Access、HSDPA）を実施するように構成される。通信モジュールは、端末60内の構成要素の通信を制御するように構成され、直接メモリアクセス（Direct Memory Access）をサポートすることができる。
【０１５２】
本発明の様々な実装方式では、通信ユニット64内の通信モジュールは、通常、集積回路チップ（Integrated Circuit Chip）の形態で出現し、選択的に組み合わせることができ、すべての通信モジュールならびに対応する物理ケーブルおよびアンテナグループを含む必要がない。たとえば、通信ユニット64は、セルラー通信システム内の通信機能を提供するために、ベースバンドチップ、無線周波チップ、および対応するアンテナのみを含む場合がある。端末60は、通信ユニット64によって確立されたワイヤレス通信接続、たとえば、ワイヤレスローカルエリアネットワークアクセスまたはWCDMA（登録商標）アクセスにより、セルラーネットワーク（Cellular Network）またはインターネット（Internet）に接続される場合がある。本発明のいくつかのオプションの実装方式では、通信ユニット64内の通信モジュール、たとえばベースバンドモジュールは、通常、クアルコム（Qualcomm）株式会社によって提供されるAPQ＋MDMシリーズのプラットフォームなどの、プロセッサユニット62の中に統合される場合がある。
【０１５３】
無線周波回路は、情報を受信し送信するプロセスの間に、または呼の間に信号を受信し送信するように構成される。たとえば、基地局のダウンリンク情報が受信された後、ダウンリンク情報は処理用にプロセッサユニット62に送信され、加えて、設計されたアップリンクデータは基地局に送信される。通常、無線周波回路は、これらの機能を実施するための既知の回路を含み、それらには、限定はしないが、アンテナシステム、無線周波トランシーバ、1つまたは複数の増幅器、チューナ、1つまたは複数の発振器、デジタル信号プロセッサ、コーデック（Codec）チップセット、加入者識別モジュール（SIM）カード、メモリなどが含まれる。加えて、無線周波回路は、ワイヤレス通信により、ネットワークおよび別のデバイスと通信することもできる。ワイヤレス通信は、限定はしないが、GSM（登録商標）（Global System of Mobile communication、モバイル通信用グローバルシステム）、GPRS（General Packet Radio Service、汎用パケット無線サービス）、CDMA（Code Division Multiple Access、符号分割多元接続）、WCDMA（登録商標）（Wideband Code Division Multiple Access、広帯域符号分割多元接続）、高速ダウンリンクパケットアクセス（High Speed Downlink Packet Access、HSDPA）、LTE（Long Term Evolution、ロングタームエボリューション）、電子メール、SMS（Short Messaging Service、ショートメッセージングサービス）などを含む、任意の通信規格または通信プロトコルを使用することができる。
【０１５４】
出力ユニット63は、限定はしないが、画像出力ユニットおよび音声出力ユニットを含む。画像出力ユニットは、テキスト、画像、および／またはビデオを出力するように構成される。画像出力ユニットはディスプレイパネルを含む場合がある。たとえば、ディスプレイパネルは、LCD（Liquid Crystal Display、液晶ディスプレイ）、OLED（Organic Light‐Emitting Diode、有機発光ダイオード）、電界放出ディスプレイ（field emission display、FED）などを使用することによって構成される場合がある。代替として、画像出力ユニットは、反射ディスプレイ、たとえば電気泳動（electrophoretic）ディスプレイ、または光の分岐干渉変調（Interferometric Modulation of Light）の技術を使用するディスプレイを含む場合がある。画像出力ユニットは、単一のディスプレイ、または様々なサイズの複数のディスプレイを含む場合がある。本発明の具体的な実装方式では、入力ユニット61によって使用されるタッチパネルは、出力ユニット63のディスプレイパネルとして使用される場合もある。たとえば、タッチパネルにタッチするかまたは接近するジェスチャ動作を検出した後、タッチパネルは、タッチイベントのタイプを特定するために、プロセッサユニット62にタッチ動作を転送する。次いで、プロセッサユニット62は、タッチイベントのタイプに従って、ディスプレイパネル上に対応する視覚出力を供給する。図13では、入力ユニット61および出力ユニット63が2つの独立した部分として働いて、端末60の入力機能および出力機能を実装するが、いくつかの実施形態では、タッチパネルおよびディスプレイパネルは、端末60の入力機能および出力機能を実装するために一体化される場合がある。たとえば、画像出力ユニットは、ユーザがタッチ制御によって動作を実施するための、限定はしないが、ウィンドウ、スクロールバー、アイコン、およびクリップボードを含む仮想制御構成要素として、様々なグラフィカルユーザインターフェース（Graphical User Interface、GUI）を表示することができる。本発明の具体的な実装方式では、画像出力ユニットは、プロセッサユニット62によって出力されたビデオをフィルタリングおよび増幅するように構成された、フィルタおよび増幅器を含む。音声出力ユニットは、プロセッサユニット62によって出力された音声信号を、デジタルフォーマットからアナログフォーマットに変換するように構成された、デジタルアナログ変換器を含む。
【０１５５】
ストレージユニット65は、ソフトウェアプログラムおよびソフトウェアモジュールを記憶するように構成される場合があり、プロセッサユニット62は、ストレージユニット65に記憶されたソフトウェアプログラムおよびソフトウェアモジュールを起動して、端末60の様々な機能アプリケーションを実行し、データ処理を実施する。ストレージユニット65は、主に、プログラム記憶領域およびデータ記憶領域を含む。プログラム記憶領域は、オペレーティングシステム、音声再生プログラムおよび画像表示プログラムなどの、少なくとも1つの機能によって必要とされるアプリケーションプログラムを記憶することができる。データ記憶領域は、端末60の使用に応じて作成された（音声データおよび住所録などの）データなどを記憶することができる。本発明の具体的な実装方式では、ストレージユニット65は、揮発性メモリ、たとえば、不揮発性ランダムアクセスメモリ（Nonvolatile Random Access Memory、NVRAM）、相変化ランダムアクセスメモリ（Phase Change RAM、PRAM）、または磁気抵抗ランダムアクセスメモリ（Magetoresistive RAM、MRAM）を含む場合があり、不揮発性メモリ、たとえば、少なくとも1つの磁気ストレージデバイス、電気的消去可能プログラマブル読取り専用メモリ（Electrically Erasable Programmable Read‐Only Memory、EEPROM）、またはフラッシュメモリ、たとえば、NORフラッシュメモリ（NOR flash memory）もしくはNANDフラッシュメモリ（NAND flash memory）をさらに含む場合がある。不揮発性メモリは、プロセッサユニット62によって実行されるオペレーティングシステムおよびアプリケーションプログラムを記憶する。プロセッサユニット62は、不揮発性メモリからメモリに実行プログラムおよびデータをロードし、大規模記憶装置内にデジタルコンテンツを記憶する。オペレーティングシステムは、メモリ管理、ストレージデバイス制御、および電力管理などの通常のシステムタスクの制御および管理に使用され、様々なタイプのソフトウェアおよびハードウェアの間の通信を容易にする、様々な構成要素および／またはドライバを含む。本発明の実装方式では、オペレーティングシステムは、GoogleのAndroidシステム、Appleによって開発されたiOSシステム、もしくはMicrosoftによって開発されたWindowsオペレーティングシステムであり得るか、またはVxworksなどの組込み型オペレーティングシステムであり得る。アプリケーションプログラムは、端末60にインストールされた任意のアプリケーションを含み、限定はしないが、ブラウザ、電子メール、インスタントメッセージングサービス、テキスト処理、キーボード仮想化、ウィンドウウィジェット（Widget）、暗号化、デジタル著作権管理、音声認識、音声応答、測位（たとえば、全地球測位システムによって提供される機能）、音楽再生などが含まれる。
【０１５６】
電源67は、端末60の様々な構成要素の実行を維持するために、それらの構成要素に電力を供給するように構成される。一般的な理解として、電源67は、一般的なリチウムイオン電池またはNiMH電池などの内蔵バッテリであり得るか、または端末60に電力を直接供給する外部電源、たとえばACアダプタを含む場合がある。本発明のいくつかの実装方式では、電源67はより広い定義を有する場合もあり、たとえば、電力管理システム、充電システム、電源異常検出回路、電力変換器またはインバータ、電力状態インジケータ（たとえば、発光ダイオード）、ならびに、端末60向けの電気エネルギーの生成、管理、および分配に関する任意の他の構成要素を含む場合もある。
【０１５７】
本発明のこの実施形態では、通信ユニット64は、ネットワークデバイスによって送信された信号を受信するように構成され、ネットワークデバイスによって送信された信号は、少なくともしきい値情報を含む。
【０１５８】
通信ユニット64は、端末情報を取得するようにさらに構成され、端末情報は、少なくとも端末60の移動速度を含み、かつ／または端末情報は、端末60のアップリンクデータの伝送状態を表すために使用される。
【０１５９】
プロセッサユニット62は、通信ユニット64によって取得された端末情報に従って端末60の状態を特定するように構成され、端末60の状態は第1の状態または第2の状態を含む。
【０１６０】
端末60が第1の状態にあるとき、端末60はセルの競合リソース上で通信を実施し、端末60が第2の状態にあるとき、ネットワークデバイスにセルの競合がないリソースを要求する。
【０１６１】
本発明のこの実施形態において提供される端末によれば、端末は、ネットワークデバイスによって送信された、受信された信号、および取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１６２】
本発明のこの実施形態では、しきい値情報は速度しきい値を表すために使用され、プロセッサユニット62は、具体的に、
通信ユニット64によって取得された移動速度が速度しきい値よりも大きいかどうかを検出し、移動速度が速度しきい値よりも大きい場合、端末60が第1の状態に入ると判断することと、
端末60の移動速度が速度しきい値よりも小さいかまたは等しい場合、端末60が第2の状態に入ると判断することと
を行うように構成される。
【０１６３】
本発明のこの実施形態において提供される端末によれば、端末は、ネットワークデバイスによって送信された、受信された速度しきい値、および取得された端末の移動速度に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された速度しきい値、および取得された端末の移動速度に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の移動速度とネットワークデバイスによって送信された速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１６４】
本発明のこの実施形態では、通信ユニット64は、具体的に、
物理層の測定を実施し、物理層のパラメータを取得すること
を行うように構成され、物理層のパラメータは、少なくとも基準信号受信品質RSRQおよび／または基準信号受信電力RSRPを含む。
【０１６５】
プロセッサユニット62は、具体的に、
通信ユニット64によって取得された物理層のパラメータを物理層のパラメータしきい値と比較し、端末60がアップリンク制限されるかどうかを判定することであって、しきい値情報が物理層のパラメータしきい値を表すためにさらに使用される、ことと、
端末がアップリンク制限される場合、端末60が第1の状態に入ると判断し、端末がアップリンク制限されない場合、端末60が第2の状態に入ると判断することと
を行うようにさらに構成される。
【０１６６】
本発明のこの実施形態において提供される端末によれば、端末は、ネットワークデバイスによって送信された信号が受信されたときの物理層のパラメータに従って、端末がアップリンク制限されるかどうかを検出して端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、端末の状態を特定し、端末が通信を実施するときに使用されるネットワークリソースを調整するために、ネットワークデバイスによって送信された信号が受信されたときの物理層のパラメータと対応するしきい値との間の大小関係に従って、端末がアップリンク制限されるかどうかを検出することができる。したがって、セル内の端末の移動速度が速く、結果として端末が複数のセルの間を頻繁に往復するとき、端末は、物理層のパラメータと対応するしきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１６７】
本発明のこの実施形態では、通信ユニット64は、具体的に、
ネットワークデバイスによってブロードキャストされた端末情報を受信すること、または
端末情報を含み、ネットワークデバイスによって送信された制御シグナリングを受信すること
を行うようにさらに構成される。
【０１６８】
本発明のこの実施形態において提供される端末によれば、端末は、ネットワークデバイスによって送信された、受信された信号、および取得された端末情報に従って端末の状態を特定し、端末の状態に従って、端末が通信を実施するときに使用されるネットワークリソースを調整する。端末情報は、ネットワークデバイスによってブロードキャストされた端末情報を受信すること、または、端末情報を含み、ネットワークデバイスによって送信された制御シグナリングを受信することによって取得される場合がある。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１６９】
本発明のこの実施形態は、ネットワークデバイス70を提供する。図14に示されたように、ネットワークデバイス70は、少なくとも、プロセッサ701と、ネットワークインターフェース702と、メモリ703と、通信バス704とを含み、通信バス704は、プロセッサ701、ネットワークインターフェース702、およびメモリ703の間の接続通信を実装するように構成され、メモリ703は、ネットワークデバイス70のプロセスを起動することに関与するデータを記憶するように構成される。場合によっては、ネットワークデバイス70は、ディスプレイ、キーボード、またはクリックデバイス（たとえば、マウス、トラックボール（trackball）、タッチパネル、もしくはタッチディスプレイスクリーン）を含む、ユーザインターフェース705をさらに含む。メモリ703は、高速RAMメモリを含む場合があり、不揮発性メモリ（non‐volatile memory）、たとえば、少なくとも1つの磁気ディスクストレージをさらに含む場合がある。メモリ703は、場合によっては、プロセッサ701から遠く離れて位置する、少なくとも1つの記憶装置を含む場合がある。ネットワークデバイス70はワイヤレスネットワークに適用される場合があり、ワイヤレスネットワークは、少なくともネットワークデバイス70および端末を含み、端末はネットワークデバイス70のセル内に位置する。
【０１７０】
いくつかの実装方式では、メモリ703は、以下の要素、実行可能モジュールもしくはデータ構造、または以下の要素、実行可能モジュールもしくはデータ構造のサブセット、または以下の要素、実行可能モジュールもしくはデータ構造の拡張セットを記憶する：
様々なサービスシステムプログラムを含み、様々な基本サービスを実装し、ハードウェアベースのタスクを処理するように構成されたオペレーティングシステム7031、および様々なアプリケーションプログラムを含み、様々なアプリケ‐ションサービスを実装するように構成されたアプリケーションプログラム7032。
【０１７１】
本発明のこの実施形態では、ネットワークインターフェース702は端末情報を取得するように構成され、端末情報は、端末の移動速度および／またはセル内の端末の位置を含む。
【０１７２】
プロセッサ701は、ネットワークインターフェース702によって取得された端末情報に従って端末の状態を特定するように構成され、端末の状態は第1の状態または第2の状態を含む。
【０１７３】
端末が第1の状態にあるとき、端末はセルの競合リソース上で通信を実施し、端末が第2の状態にあるとき、ネットワークデバイスはセルの競合がないリソースを端末に割り振る。
【０１７４】
本発明のこの実施形態において提供されるネットワークデバイスによれば、ネットワークデバイスは、セル内の取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する、従来技術における解決策と比較して、本発明では、ネットワークデバイスは、取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスまたは端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１７５】
本発明のこの実施形態では、プロセッサ701は、具体的に、
ネットワークインターフェース702によって取得された端末の移動速度が速度しきい値よりも大きいかどうかを検出し、端末の移動速度が速度しきい値よりも大きい場合、端末が第1の状態に入ると判断することと、
端末の移動速度が速度しきい値よりも小さいかまたは等しい場合、端末が第2の状態に入ると判断することと
を行うように構成される。
【０１７６】
本発明のこの実施形態において提供されるネットワークデバイスによれば、ネットワークデバイスは、取得された端末の移動速度に従ってセル内の端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得された端末の移動速度と速度しきい値との間の大小関係に従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、端末の移動速度と速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１７７】
本発明のこの実施形態では、プロセッサ701は、具体的に、
ネットワークインターフェース702によって取得されたセル内の端末の位置に従って、端末がセル内の指定領域内に位置するかどうかを判定することと、
端末が指定領域内に位置する場合、端末が第1の状態に入ると判断し、端末が指定領域内に位置しない場合、端末が第2の状態に入ると判断することと
を行うようにさらに構成される。
【０１７８】
本発明のこの実施形態において提供されるネットワークデバイスによれば、ネットワークデバイスは、取得されたセル内の端末の位置に従ってセル内の端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、取得されたセル内の端末の位置がセル内の指定領域内に位置するかどうかに従って端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、セル内の端末の位置がセル内の指定領域内に位置するかどうかに従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１７９】
本発明のこの実施形態では、端末情報は端末の移動方向をさらに含み、
プロセッサ701は、具体的に、
端末が指定領域内に位置すると判定されると、ネットワークインターフェース702によって取得された移動方向に従って、端末がセルの中心から遠ざかるかどうかを判定することと、
端末がセルの中心から遠ざかる場合、端末が第1の状態に入ると判断し、端末がセルの中心から遠ざからない場合、端末が第2の状態に入ると判断することと
を行うようにさらに構成される。
【０１８０】
本発明のこの実施形態において提供されるネットワークデバイスによれば、ネットワークデバイスは、取得されたセル内の端末の移動方向に従って、端末がセルの中心から遠ざかるかどうかを判定し、端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、ネットワークデバイスは、指定領域内に位置する端末の取得された移動方向に従って、端末がセルの中心から遠ざかるかどうかを判定し、端末の状態を特定し、端末が通信を実施するときに使用されるネットワークリソースを調整することができる。したがって、セル内の端末の移動速度が速く、結果として端末が複数のセルの間を頻繁に往復するとき、ネットワークデバイスは、指定領域内に位置する端末の移動方向に従って、端末が指定された時間内にセルのカバレージを離れるかどうかを判定し、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１８１】
本発明のこの実施形態は、端末80を提供する。図15に示されたように、端末80は、少なくとも、プロセッサ801と、ネットワークインターフェース802と、メモリ803と、通信バス804とを含み、通信バス804は、プロセッサ801、ネットワークインターフェース802、およびメモリ803の間の接続通信を実装するように構成され、メモリ803は、端末80のプロセスを起動することに関与するデータを記憶するように構成される。場合によっては、端末80は、ディスプレイ、キーボード、またはクリックデバイス（たとえば、マウス、トラックボール（trackball）、タッチパネル、もしくはタッチディスプレイスクリーン）を含む、ユーザインターフェース805をさらに含む。メモリ803は、高速RAMメモリを含む場合があり、不揮発性メモリ（non‐volatile memory）、たとえば、少なくとも1つの磁気ディスクストレージをさらに含む場合がある。メモリ803は、場合によっては、プロセッサ801から遠く離れて位置する、少なくとも1つの記憶装置を含む場合がある。端末80はワイヤレスネットワークに適用される場合があり、ワイヤレスネットワークは、少なくともネットワークデバイスおよび端末80を含み、端末80はネットワークデバイスのセル内に位置する。
【０１８２】
いくつかの実装方式では、メモリ803は、以下の要素、実行可能モジュールもしくはデータ構造、または以下の要素、実行可能モジュールもしくはデータ構造のサブセット、または以下の要素、実行可能モジュールもしくはデータ構造の拡張セットを記憶する：
様々なサービスシステムプログラムを含み、様々な基本サービスを実装し、ハードウェアベースのタスクを処理するように構成されたオペレーティングシステム8031、および様々なアプリケーションプログラムを含み、様々なアプリケ‐ションサービスを実装するように構成されたアプリケーションプログラム8032。
【０１８３】
本発明のこの実施形態では、ネットワークインターフェース802は、ネットワークデバイスによって送信された信号を受信するように構成され、ネットワークデバイスによって送信された信号は、少なくともしきい値情報を含む。
【０１８４】
ネットワークインターフェース802は端末情報を取得するようにさらに構成され、端末情報は、少なくとも端末80の移動速度を含み、かつ／または端末情報は、端末80のアップリンクデータの伝送状態を表すために使用される。
【０１８５】
プロセッサ801は、ネットワークインターフェース802によって取得された端末情報に従って端末80の状態を特定するように構成され、端末80の状態は第1の状態または第2の状態を含む。
【０１８６】
端末が第1の状態にあるとき、端末はセルの競合リソース上で通信を実施し、端末が第2の状態にあるとき、ネットワークデバイスはセルの競合がないリソースを端末に割り振る。
【０１８７】
本発明のこの実施形態において提供される端末によれば、端末は、ネットワークデバイスによって送信された、受信された信号、および取得された端末情報に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１８８】
本発明のこの実施形態では、しきい値情報は速度しきい値を表すために使用され、プロセッサ801は、具体的に、
ネットワークインターフェース802によって取得された移動速度が速度しきい値よりも大きいかどうかを検出し、移動速度が速度しきい値よりも大きい場合、端末80が第1の状態に入ると判断することと、
端末80の移動速度が速度しきい値よりも小さいかまたは等しい場合、端末80が第2の状態に入ると判断することと
を行うように構成される。
【０１８９】
本発明のこの実施形態において提供される端末によれば、端末は、ネットワークデバイスによって送信された、受信された速度しきい値、および取得された端末の移動速度に従って端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された速度しきい値、および取得された端末の移動速度に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の移動速度とネットワークデバイスによって送信された速度しきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１９０】
本発明のこの実施形態では、ネットワークインターフェース802は、具体的に、
物理層の測定を実施し、物理層のパラメータを取得すること
を行うように構成され、物理層のパラメータは、少なくとも基準信号受信品質RSRQおよび／または基準信号受信電力RSRPを含む。
【０１９１】
プロセッサ801は、具体的に、
ネットワークインターフェース802によって取得された物理層のパラメータを物理層のパラメータしきい値と比較し、端末80がアップリンク制限されるかどうかを判定することであって、しきい値情報が物理層のパラメータしきい値を表すためにさらに使用される、ことと、
端末80がアップリンク制限される場合、端末80が第1の状態に入ると判断し、端末80がアップリンク制限されない場合、端末80が第2の状態に入ると判断することと
を行うようにさらに構成される。
【０１９２】
本発明のこの実施形態において提供される端末によれば、端末は、ネットワークデバイスによって送信された信号が受信されたときの物理層のパラメータに従って、端末がアップリンク制限されるかどうかを検出して端末の状態を特定し、端末の状態に従って、端末が通信を実施するときに使用されるネットワークリソースを調整する。セル間の高速移動に起因して端末がセルハンドオーバを頻繁に実行して、端末が通信を実施するときに使用されるネットワークリソースを調整する従来技術と比較して、本発明では、端末は、端末の状態を特定し、端末が通信を実施するときに使用されるネットワークリソースを調整するために、ネットワークデバイスによって送信された信号が受信されたときの物理層のパラメータと対応するしきい値との間の大小関係に従って、端末がアップリンク制限されるかどうかを検出することができる。したがって、セル内の端末の移動速度が速く、結果として端末が複数のセルの間を頻繁に往復するとき、端末は、物理層のパラメータと対応するしきい値との間の大小関係に従って端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１９３】
本発明のこの実施形態では、ネットワークインターフェース802は、具体的に、
ネットワークデバイスによってブロードキャストされた端末情報を受信すること、または
端末情報を含み、ネットワークデバイスによって送信された制御シグナリングを受信すること
を行うようにさらに構成される。
【０１９４】
本発明のこの実施形態において提供される端末によれば、端末は、ネットワークデバイスによって送信された、受信された信号、および取得された端末情報に従って端末の状態を特定し、端末の状態に従って、端末が通信を実施するときに使用されるネットワークリソースを調整する。端末情報は、ネットワークデバイスによってブロードキャストされた端末情報を受信すること、または、端末情報を含み、ネットワークデバイスによって送信された制御シグナリングを受信することによって取得される場合がある。セル間の高速移動に起因して端末がセルハンドオーバを頻繁に実行して、端末が通信を実施するときに使用されるネットワークリソースを調整する従来技術と比較して、本発明では、端末は、ネットワークデバイスによって送信された、受信された信号、および取得された端末情報に従って端末の状態を特定し、端末が通信を実施するときに使用されるネットワークリソースを調整することができる。したがって、セル内の端末の移動速度が速く、結果として端末が複数のセルの間を頻繁に往復するとき、端末は、端末の状態を特定して、端末が通信を実施するときに使用されるネットワークリソースを調整し、それにより、大量のネットワーク帯域幅の占有を回避し、ワイヤレスネットワークの情報伝送効率を改善する。
【０１９５】
本明細書内の実施形態は、すべて順次方式で記載され、実施形態内の同じまたは同様の部分について、これらの実施形態に対して参照が行われる場合があり、各実施形態は他の実施形態との違いに焦点を当てる。特に、装置実施形態は、方法実施形態と基本的に同様であり、したがって簡潔に記載され、関係する部分については、方法実施形態内の部分説明に対して参照が行われる。
【０１９６】
当業者は、実施形態における方法のプロセスのうちのすべてまたは一部が、関連するハードウェアに命令するコンピュータプログラムによって実装され得ることを理解することができる。プログラムは、コンピュータ可読記憶媒体に記憶される場合がある。プログラムが走ると、実施形態における方法のプロセスが実施される。前述の記憶媒体には、磁気ディスク、光ディスク、読取り専用メモリ（Read‐Only Memory、ROM）、またはランダムアクセスメモリ（Random Access Memory、RAM）が含まれ得る。
【０１９７】
前述の説明は、本発明の特定の実施形態にすぎず、本発明の保護範囲を限定するものではない。本発明において開示された技術的範囲内で、当業者が容易に考え付くいかなる変形または置換も、本発明の保護範囲内に入るべきである。したがって、本発明の保護範囲は、特許請求の範囲の保護範囲に従うべきである。
【符号の説明】
【０１９８】
30  装置
31  取得モジュール
32  特定モジュール
40  装置
41  受信モジュール
42  取得モジュール
43  特定モジュール
50  ネットワークデバイス
51  入力ユニット
52  プロセッサユニット
53  出力ユニット
54  通信ユニット
55  ストレージユニット
56  電源
60  端末
61  入力ユニット
62  プロセッサユニット
63  出力ユニット
64  通信ユニット
65  ストレージユニット
66  周辺ユニット
67  電源
70  ネットワークデバイス
701  プロセッサ
702  ネットワークインターフェース
703  メモリ
7031  オペレーティングシステム
7032  アプリケーションプログラム
704  通信バス
705  ユーザインターフェース
80  端末
801  プロセッサ
802  ネットワークインターフェース
803  メモリ
8031  オペレーティングシステム
8032  アプリケーションプログラム
804  通信バス
805  ユーザインターフェース
【図１】
2018501750.tif 000003
【図１ａ】
2018501750.tif 000004
【図２】
2018501750.tif 000005
【図３】
2018501750.tif 000006
【図４】
2018501750.tif 000007
【図４ａ】
2018501750.tif 000008
【図５】
2018501750.tif 000009
【図５ａ】
2018501750.tif 000010
【図５ｂ】
2018501750.tif 000011
【図６】
2018501750.tif 000012
【図６ａ】
2018501750.tif 000013
【図７】
2018501750.tif 000014
【図７ａ】
2018501750.tif 000015
【図８】
2018501750.tif 000016
【図９】
2018501750.tif 000017
【図１０】
2018501750.tif 000018
【図１１】
2018501750.tif 000019
【図１２】
2018501750.tif 000020
【図１３】
2018501750.tif 000021
【図１４】
2018501750.tif 000022
【図１５】
2018501750.tif 000023
【手続補正書】
【提出日】平成29年8月1日(2017.8.1)
【手続補正１】
【補正対象書類名】明細書
【補正対象項目名】００５１
【補正方法】変更
【補正の内容】
【００５１】
たとえば、図4aに示されたように、車載端末デバイスAが道路に沿って進む場合、車載端末デバイスAがセルA内の第1の位置にあり、基地局Aが速度しきい値Xをブロードキャストし、車載端末デバイスAの移動速度Vが速度しきい値Xよりも大きいとき、この場合車載端末デバイスAがidle状態に入ると判断され、車載端末デバイスAはランダムアクセス（RA）プロセスをトリガしてセルにアクセスする必要がなく、車載端末デバイスAがセルB内の第2の位置にあり、基地局Bが速度しきい値Xをブロードキャストし、車載端末デバイスAの移動速度Vが速度しきい値Xよりも小さいとき、この場合車載端末デバイスAがconnected状態に入ると判断され、車載端末デバイスAはランダムアクセスプロセスを開始してセルにアクセスする必要がある。
【手続補正２】
【補正対象書類名】明細書
【補正対象項目名】００６８
【補正方法】変更
【補正の内容】
【００６８】
端末の移動状態を表し、端末が容易にセルを離れるかどうかを判定するためにネットワークデバイスによって使用されるパラメータは、端末の移動速度、セル内の端末の位置などに限定されず、端末の移動方向などのパラメータでもあり得るし、ネットワークデバイスは、端末の移動状態を表す1つのパラメータに従って判定を実施することができ、端末の移動状態を表す複数のパラメータに従って判定を実施することもできる。
【手続補正３】
【補正対象書類名】明細書
【補正対象項目名】００６９
【補正方法】変更
【補正の内容】
【００６９】
たとえば、ユーザは、要件に従って、車載端末デバイスの移動状態を表すパラメータの優先度をあらかじめ設定することができ、たとえば、車載端末デバイスの移動状態を表すパラメータは、車載端末デバイスの移動速度およびセル内の車載端末デバイスの位置を含み、ユーザは、車載端末デバイスの移動速度およびセル内の車載端末デバイスの位置の優先度をあらかじめ設定することができる。図5aに示されたように、環状道路がセル内に存在し、環状道路がセルの縁部領域内に位置するが、環状道路が位置する領域がセルのカバレージに入る場合、セルのカバレージ内の環状道路の外側の領域の一部が指定領域に設定される場合がある。たとえば、環状道路と基地局との間の領域の一部が、指定領域として使用される場合がある。車載端末デバイスBが設置された車両は、環状道路に沿って進み、その間ずっとセル内にある。車載端末デバイスAが設置された車両は、車載端末デバイスBよりも基地局に近いが、車載端末デバイスAは指定領域内に位置する。
【手続補正４】
【補正対象書類名】明細書
【補正対象項目名】０１００
【補正方法】変更
【補正の内容】
【０１００】
本発明のこの実施形態では、物理層のパラメータは、RSRP（Reference Signal Received Power、基準信号受信電力）および／またはRSRQ（Reference Signal Received Quality、基準信号受信品質）であり得るし、車載端末デバイスは、基地局によって送信された信号を受信するときにRSRPおよび／またはRSRQを取得する。
【手続補正５】
【補正対象書類名】明細書
【補正対象項目名】０１３５
【補正方法】変更
【補正の内容】
【０１３５】
ストレージユニット55は、ソフトウェアプログラムおよびソフトウェアモジュールを記憶するように構成される場合があり、プロセッサユニット52は、ストレージユニット55に記憶されたソフトウェアプログラムおよびソフトウェアモジュールを起動して、ネットワークデバイス50の様々な機能アプリケーションを実行し、データ処理を実施する。ストレージユニット55は、主に、プログラム記憶領域およびデータ記憶領域を含む。プログラム記憶領域は、オペレーティングシステム、音声再生プログラムおよび画像表示プログラムなどの、少なくとも1つの機能によって必要とされるアプリケーションプログラムを記憶することができる。データ記憶領域は、ネットワークデバイス50の使用に応じて作成された（音声データおよび住所録などの）データなどを記憶することができる。本発明の具体的な実装方式では、ストレージユニット55は、揮発性メモリ、たとえば、不揮発性ランダムアクセスメモリ（Nonvolatile Random Access Memory、NVRAM）、相変化ランダムアクセスメモリ（Phase Change RAM、PRAM）、または磁気抵抗ランダムアクセスメモリ（Magnetoresistive RAM、MRAM）を含む場合があり、不揮発性メモリ、たとえば、少なくとも1つの磁気ストレージデバイス、電気的消去可能プログラマブル読取り専用メモリ（Electrically Erasable Programmable Read‐Only Memory、EEPROM）、またはフラッシュメモリ、たとえば、NORフラッシュメモリ（NOR flash memory）もしくはNANDフラッシュメモリ（NAND flash memory）をさらに含む場合がある。不揮発性メモリは、プロセッサユニット52によって実行されるオペレーティングシステムおよびアプリケーションプログラムを記憶する。プロセッサユニット52は、不揮発性メモリからメモリに実行プログラムおよびデータをロードし、大規模記憶装置内にデジタルコンテンツを記憶する。オペレーティングシステムは、メモリ管理、ストレージデバイス制御、および電力管理などの通常のシステムタスクの制御および管理に使用され、様々なタイプのソフトウェアおよびハードウェアの間の通信を容易にする、様々な構成要素および／またはドライバを含む。本発明の実装方式では、オペレーティングシステムは、Linux（登録商標）システム、Appleによって開発されたiOSシステム、もしくはMicrosoftによって開発されたWindowsオペレーティングシステム、またはVxworksなどの組込み型オペレーティングシステムであり得る。アプリケーションプログラムは、ネットワークデバイス50にインストールされた任意のアプリケーションを含み、限定はしないが、ブラウザ、電子メール、インスタントメッセージングサービス、テキスト処理、キーボード仮想化、ウィンドウウィジェット（Widget）、暗号化、デジタル著作権管理、音声認識、音声応答、測位（たとえば、全地球測位システムによって提供される機能）、音楽再生などが含まれる。
【手続補正６】
【補正対象書類名】明細書
【補正対象項目名】０１５３
【補正方法】変更
【補正の内容】
【０１５３】
無線周波回路は、情報を受信し送信するプロセスの間に、または呼の間に信号を受信し送信するように構成される。たとえば、基地局のダウンリンク情報が受信された後、ダウンリンク情報は処理用にプロセッサユニット62に送信され、加えて、設計されたアップリンクデータは基地局に送信される。通常、無線周波回路は、これらの機能を実施するための既知の回路を含み、それらには、限定はしないが、アンテナシステム、無線周波トランシーバ、1つまたは複数の増幅器、チューナ、1つまたは複数の発振器、デジタル信号プロセッサ、コーデック（Codec）チップセット、加入者識別モジュール（SIM）カード、メモリなどが含まれる。加えて、無線周波回路は、ワイヤレス通信により、ネットワークおよび別のデバイスと通信することもできる。ワイヤレス通信は、限定はしないが、GSM（登録商標）（Global System for Mobile communication、モバイル通信用グローバルシステム）、GPRS（General Packet Radio Service、汎用パケット無線サービス）、CDMA（Code Division Multiple Access、符号分割多元接続）、WCDMA（登録商標）（Wideband Code Division Multiple Access、広帯域符号分割多元接続）、高速ダウンリンクパケットアクセス（High Speed Downlink Packet Access、HSDPA）、LTE（Long Term Evolution、ロングタームエボリューション）、電子メール、SMS（Short Messaging Service、ショートメッセージングサービス）などを含む、任意の通信規格または通信プロトコルを使用することができる。
【手続補正７】
【補正対象書類名】明細書
【補正対象項目名】０１５５
【補正方法】変更
【補正の内容】
【０１５５】
ストレージユニット65は、ソフトウェアプログラムおよびソフトウェアモジュールを記憶するように構成される場合があり、プロセッサユニット62は、ストレージユニット65に記憶されたソフトウェアプログラムおよびソフトウェアモジュールを起動して、端末60の様々な機能アプリケーションを実行し、データ処理を実施する。ストレージユニット65は、主に、プログラム記憶領域およびデータ記憶領域を含む。プログラム記憶領域は、オペレーティングシステム、音声再生プログラムおよび画像表示プログラムなどの、少なくとも1つの機能によって必要とされるアプリケーションプログラムを記憶することができる。データ記憶領域は、端末60の使用に応じて作成された（音声データおよび住所録などの）データなどを記憶することができる。本発明の具体的な実装方式では、ストレージユニット65は、揮発性メモリ、たとえば、不揮発性ランダムアクセスメモリ（Nonvolatile Random Access Memory、NVRAM）、相変化ランダムアクセスメモリ（Phase Change RAM、PRAM）、または磁気抵抗ランダムアクセスメモリ（Magnetoresistive RAM、MRAM）を含む場合があり、不揮発性メモリ、たとえば、少なくとも1つの磁気ストレージデバイス、電気的消去可能プログラマブル読取り専用メモリ（Electrically Erasable Programmable Read‐Only Memory、EEPROM）、またはフラッシュメモリ、たとえば、NORフラッシュメモリ（NOR flash memory）もしくはNANDフラッシュメモリ（NAND flash memory）をさらに含む場合がある。不揮発性メモリは、プロセッサユニット62によって実行されるオペレーティングシステムおよびアプリケーションプログラムを記憶する。プロセッサユニット62は、不揮発性メモリからメモリに実行プログラムおよびデータをロードし、大規模記憶装置内にデジタルコンテンツを記憶する。オペレーティングシステムは、メモリ管理、ストレージデバイス制御、および電力管理などの通常のシステムタスクの制御および管理に使用され、様々なタイプのソフトウェアおよびハードウェアの間の通信を容易にする、様々な構成要素および／またはドライバを含む。本発明の実装方式では、オペレーティングシステムは、GoogleのAndroidシステム、Appleによって開発されたiOSシステム、もしくはMicrosoftによって開発されたWindowsオペレーティングシステムであり得るか、またはVxworksなどの組込み型オペレーティングシステムであり得る。アプリケーションプログラムは、端末60にインストールされた任意のアプリケーションを含み、限定はしないが、ブラウザ、電子メール、インスタントメッセージングサービス、テキスト処理、キーボード仮想化、ウィンドウウィジェット（Widget）、暗号化、デジタル著作権管理、音声認識、音声応答、測位（たとえば、全地球測位システムによって提供される機能）、音楽再生などが含まれる。
【手続補正８】
【補正対象書類名】特許請求の範囲
【補正対象項目名】全文
【補正方法】変更
【補正の内容】
【特許請求の範囲】
【請求項１】
セル内の情報伝送方法であって、前記方法がワイヤレスネットワークに適用され、前記ワイヤレスネットワークが、少なくともネットワークデバイスおよび端末を備え、前記端末が前記ネットワークデバイスのセル内に位置し、前記方法が、
前記ネットワークデバイスにより、端末情報を取得するステップであって、前記端末情報が前記端末の移動速度および／または前記セル内の前記端末の位置を含む、ステップと、
前記ネットワークデバイスにより、前記端末情報に従って前記端末の状態を特定するステップであって、前記端末の前記状態が第1の状態または第2の状態を含む、ステップと、
前記端末が前記第1の状態にあるとき、前記端末により、前記セルの競合リソース上で通信を実施し、前記端末が前記第2の状態にあるとき、前記ネットワークデバイスにより、前記セルの競合がないリソースを前記端末に割り振るステップと
を含む、方法。
【請求項２】
前記ネットワークデバイスにより、前記端末情報に従って前記端末の状態を特定する前記ステップが、
前記ネットワークデバイスにより、前記端末の前記移動速度が速度しきい値よりも大きいかどうかを検出し、前記端末の前記移動速度が前記速度しきい値よりも大きい場合、前記端末が前記第1の状態に入ると判断するステップと、
前記端末の前記移動速度が前記速度しきい値よりも小さいかまたは等しい場合、前記端末が前記第2の状態に入ると判断するステップと
を含む、請求項1に記載の方法。
【請求項３】
前記ネットワークデバイスにより、前記端末情報に従って前記端末の状態を特定する前記ステップが、
前記ネットワークデバイスにより、前記セル内の前記端末の前記位置に従って、前記端末が前記セル内の指定領域内に位置するかどうかを判定するステップと、
前記端末が前記指定領域内に位置する場合、前記端末が前記第1の状態に入ると判断し、前記端末が前記指定領域内に位置しない場合、前記端末が前記第2の状態に入ると判断するステップと
を含む、請求項1に記載の方法。
【請求項４】
前記端末情報が前記端末の移動方向をさらに含み、
前記ネットワークデバイスにより、前記端末情報に従って前記端末の状態を特定する前記ステップが、
前記端末が前記指定領域内に位置すると判定されると、前記ネットワークデバイスにより、前記移動方向に従って、前記端末が前記セルの中心から遠ざかるかどうかを判定するステップと、
前記端末が前記セルの前記中心から遠ざかる場合、前記端末が前記第1の状態に入ると判断し、前記端末が前記セルの前記中心から遠ざからない場合、前記端末が前記第2の状態に入ると判断するステップと
を含む、請求項3に記載の方法。
【請求項５】
セル内の情報伝送方法であって、前記方法がワイヤレスネットワークに適用され、前記ワイヤレスネットワークが、少なくともネットワークデバイスおよび端末を備え、前記端末が前記ネットワークデバイスのセル内に位置し、前記方法が、
前記端末により、前記ネットワークデバイスによって送信された信号を受信するステップであって、前記ネットワークデバイスによって送信された前記信号が少なくともしきい値情報を含む、ステップと、
前記端末により、端末情報を取得するステップであって、前記端末情報が少なくとも前記端末の移動速度を含み、かつ／または前記端末情報が前記端末のアップリンクデータの伝送状態を表すために使用される、ステップと、
前記端末により、前記端末情報および前記ネットワークデバイスによって送信された前記信号に従って前記端末の状態を特定するステップであって、前記端末の前記状態が第1の状態または第2の状態を含む、ステップと、
前記端末が前記第1の状態にあるとき、前記端末により、前記セルの競合リソース上で通信を実施し、前記端末が前記第2の状態にあるとき、前記端末により、前記ネットワークデバイスに前記セルの競合がないリソースを要求するステップと
を含む、方法。
【請求項６】
前記しきい値情報が速度しきい値を表すために使用され、
前記端末により、前記端末情報および前記ネットワークデバイスによって送信された前記信号に従って前記端末の状態を特定する前記ステップが、
前記端末により、前記移動速度が前記速度しきい値よりも大きいかどうかを検出し、前記移動速度が前記速度しきい値よりも大きい場合、前記端末が前記第1の状態に入ると判断するステップと、
前記端末の前記移動速度が前記速度しきい値よりも小さいかまたは等しい場合、前記端末が前記第2の状態に入ると判断するステップと
を含む、請求項5に記載の方法。
【請求項７】
前記端末により、端末情報を取得する前記ステップが、
前記端末により、物理層の測定を実施し、物理層のパラメータを取得するステップであって、前記物理層のパラメータが、少なくとも基準信号受信品質（RSRQ）および／または基準信号受信電力（RSRP）を含む、ステップ
を含み、
前記端末により、前記端末情報および前記ネットワークデバイスによって送信された前記信号に従って前記端末の状態を特定する前記ステップが、
前記端末により、前記物理層のパラメータを物理層のパラメータしきい値と比較し、前記端末がアップリンク制限されるかどうかを判定するステップであって、前記しきい値情報が前記物理層のパラメータしきい値を表すためにさらに使用される、ステップと、
前記端末がアップリンク制限される場合、前記端末が前記第1の状態に入ると判断し、前記端末がアップリンク制限されない場合、前記端末が前記第2の状態に入ると判断するステップと
を含む、請求項5に記載の方法。
【請求項８】
前記端末により、前記ネットワークデバイスによって送信された信号を受信する前記ステップが、
前記端末により、前記ネットワークデバイスによってブロードキャストされた端末情報を受信するステップ、または
前記端末により、前記端末情報を含む、前記ネットワークデバイスによって送信された制御シグナリングを受信するステップ
を含む、請求項5から7のいずれか一項に記載の方法。
【請求項９】
セル内の情報伝送装置であって、前記装置がワイヤレスネットワークに適用され、前記ワイヤレスネットワークが、少なくともネットワークデバイスおよび端末を備え、前記端末が前記ネットワークデバイスのセル内に位置し、前記装置が、
端末情報を取得するように構成された取得モジュールであって、前記端末情報が前記端末の移動速度および／または前記セル内の前記端末の位置を含む、取得モジュールと、
前記取得モジュールによって取得された前記端末情報に従って前記端末の状態を特定するように構成された特定モジュールであって、前記端末の前記状態が第1の状態または第2の状態を含む、特定モジュールと
を備え、
前記端末が前記第1の状態にあるとき、前記端末が前記セルの競合リソース上で通信を実施し、前記端末が前記第2の状態にあるとき、前記ネットワークデバイスが前記セルの競合がないリソースを前記端末に割り振る、装置。
【請求項１０】
前記特定モジュールが、
前記取得モジュールによって取得された前記端末の前記移動速度が速度しきい値よりも大きいかどうかを検出し、前記端末の前記移動速度が前記速度しきい値よりも大きい場合、前記端末が前記第1の状態に入ると判断することと、
前記端末の前記移動速度が前記速度しきい値よりも小さいかまたは等しい場合、前記端末が前記第2の状態に入ると判断することと
を行うようにさらに構成される、請求項9に記載の装置。
【請求項１１】
前記特定モジュールが、
前記取得モジュールによって取得された前記セル内の前記端末の前記位置に従って、前記端末が前記セル内の指定領域内に位置するかどうかを判定することと、
前記端末が前記指定領域内に位置する場合、前記端末が前記第1の状態に入ると判断し、前記端末が前記指定領域内に位置しない場合、前記端末が前記第2の状態に入ると判断することと
を行うようにさらに構成される、請求項9に記載の装置。
【請求項１２】
前記端末情報が前記端末の移動方向をさらに含み、
前記特定モジュールが、
前記端末が前記指定領域内に位置すると判定されると、前記取得モジュールによって取得された前記移動方向に従って、前記端末が前記セルの中心から遠ざかるかどうかを判定することと、
前記端末が前記セルの前記中心から遠ざかる場合、前記端末が前記第1の状態に入ると判断し、前記端末が前記セルの前記中心から遠ざからない場合、前記端末が前記第2の状態に入ると判断することと
を行うようにさらに構成される、請求項11に記載の装置。
【請求項１３】
セル内の情報伝送装置であって、前記装置がワイヤレスネットワークに適用され、前記ワイヤレスネットワークが、少なくともネットワークデバイスおよび端末を備え、前記端末が前記ネットワークデバイスのセル内に位置し、前記装置が、
前記ネットワークデバイスによって送信された信号を受信するように構成された受信モジュールであって、前記ネットワークデバイスによって送信された前記信号が少なくともしきい値情報を含む、受信モジュールと、
端末情報を取得するように構成された取得モジュールであって、前記端末情報が少なくとも前記端末の移動速度を含み、かつ／または前記端末情報が前記端末のアップリンクデータの伝送状態を表すために使用される、取得モジュールと、
前記取得モジュールによって取得された前記端末情報および前記ネットワークデバイスによって送信された前記信号に従って前記端末の状態を特定するように構成された特定モジュールであって、前記端末の前記状態が第1の状態または第2の状態を含む、特定モジュールと
を備え、
前記端末が前記第1の状態にあるとき、前記端末が前記セルの競合リソース上で通信を実施し、前記端末が前記第2の状態にあるとき、前記端末が前記ネットワークデバイスに前記セルの競合がないリソースを要求する、装置。
【請求項１４】
前記しきい値情報が速度しきい値を表すために使用され、
前記特定モジュールが、
前記取得モジュールによって取得された前記移動速度が前記速度しきい値よりも大きいかどうかを検出し、前記移動速度が前記速度しきい値よりも大きい場合、前記端末が前記第1の状態に入ると判断することと、
前記端末の前記移動速度が前記速度しきい値よりも小さいかまたは等しい場合、前記端末が前記第2の状態に入ると判断することと
を行うようにさらに構成される、請求項13に記載の装置。
【請求項１５】
前記取得モジュールが、
物理層の測定を実施し、物理層のパラメータを取得することであって、前記物理層のパラメータが、少なくとも基準信号受信品質（RSRQ）および／または基準信号受信電力（RSRP）を含む、こと
を行うようにさらに構成され、
前記特定モジュールが、
前記取得モジュールによって取得された前記物理層のパラメータを物理層のパラメータしきい値と比較し、前記端末がアップリンク制限されるかどうかを判定することであって、前記しきい値情報が前記物理層のパラメータしきい値を表すためにさらに使用される、ことと、
前記端末がアップリンク制限される場合、前記端末が前記第1の状態に入ると判断し、前記端末がアップリンク制限されない場合、前記端末が前記第2の状態に入ると判断することと
を行うようにさらに構成される、請求項13に記載の装置。
【請求項１６】
前記受信モジュールが、
前記ネットワークデバイスによってブロードキャストされた端末情報を受信すること、または
前記端末情報を含む、前記ネットワークデバイスによって送信された制御シグナリングを受信すること
を行うようにさらに構成される、請求項13から15のいずれか一項に記載の装置。
【請求項１７】
請求項1から8のいずれか一項に記載の方法の各ステップをコンピュータに実行させるプログラムを格納したコンピュータ読み取り可能な記録媒体。
【国際調査報告】
2018501750.tif 000024
2018501750.tif 000025
2018501750.tif 000026
2018501750.tif 000027